(57)【特許請求の範囲】
【請求項１】
３次相互変調に対応する第１の閾値が超過したとき、遠方帯域内妨害信号の存在を示すために広帯域（ＷＢ）割込み信号を生成するように構成された広帯域妨害信号検出器構成要素と、
２次相互変調に対応し、前記第１の閾値より低い第２の閾値が超過したとき、至近妨害信号の存在を示すために狭帯域（ＮＢ）割込み信号を生成するように構成された狭帯域妨害信号検出器構成要素と、
前記ＷＢ割込み信号および前記ＮＢ割込み信号の少なくとも１つに基づいて複合割込み信号を生成するように構成された割込み論理モジュールと、
並行送信器帯域を含む帯域において動作する１つまたは複数の送信器からの並行動作妨害信号を検出するように構成された並行動作妨害信号検出器と、
を具備する妨害信号検出器。
【請求項２】
前記複合割込み信号が、フィルタの数を減じることによって電力消費を減じるために使用される、
請求項１の妨害信号検出器。
【請求項３】
前記電力消費がアナログ・ベースバンド低域フィルタ（ＡＢＢ  ＬＰＦ）のものであり、
前記複合割込み信号に基づいて、前記ＡＢＢ  ＬＰＦのフィルタの数が減じられる、
請求項２の妨害信号検出器。
【請求項４】
前記広帯域妨害信号検出器が少なくとも４オクターブの妨害信号スペクトルをカバーする、
請求項１の妨害信号検出器。
【請求項５】
前記並行動作妨害信号検出器が相違するミキサ・タイプを選択する、
請求項１の妨害信号検出器。
【請求項６】
前記相違するミキサ・タイプがシングルエンド型レジスティブ・ミキサ（ＳＲＭ）および高調波除去ミキサ（ＨＲＭ）を具備する、
請求項５の妨害信号検出器。
【請求項７】
前記並行動作妨害信号検出器が複数通信ユニットの電力消費を監視するように構成された共存管理ユニットを含んでいる、
請求項１の妨害信号検出器。
【請求項８】
前記共存管理ユニットが電力消費現在ログを提供する、
請求項７の妨害信号検出器。
【請求項９】
前記共存管理ユニットが、受信器の前記動作を、予測される送信を通知することによって、または前記送信器に送信活動の一時停止を要求することにより前記受信器についての沈黙（silence）要求を計画することによって、管理する、
請求項７の妨害信号検出器。
【請求項１０】
前記共存管理ユニットが、全地球測位システム（ＧＰＳ）位置に対し、スペクトル、無線周波数（ＲＦ）レベル、送信レベル、またはこれらの任意の組み合わせをマッピングする、
請求項７の妨害信号検出器。
【請求項１１】
前記狭帯域妨害信号検出器構成要素、前記広帯域妨害信号検出器構成要素、および前記並行動作妨害信号検出器が、狭帯域妨害信号、広帯域妨害信号および並行妨害信号に対する妨害信号検出を提供する、
請求項１の妨害信号検出器。
【請求項１２】
並行動作妨害信号活動の予めわかっている情報の通知を受信するように構成された並行動作妨害信号検出器モジュールをさらに具備する、
請求項１の妨害信号検出器。
【請求項１３】
前記並行動作妨害信号検出器モジュールが前記予めわかっている情報の通知を少なくとも１つの受信器へ中継する、
請求項１２の妨害信号検出器。
【請求項１４】
少なくとも１つの広帯域閾値（ＴＨＷＢ）および少なくとも１つの狭帯域閾値（ＴＨＮＢ）を格納するように構成されたメモリをさらに具備する、
請求項１の妨害信号検出器。
【請求項１５】
前記少なくとも１つの広帯域閾値（ＴＨＷＢ）が、求められている広帯域妨害信号の電力に基づいて適応的である、
請求項１４の妨害信号検出器。
【請求項１６】
前記少なくとも１つの狭帯域閾値（ＴＨＮＢ）が、求められている狭帯域妨害信号の電力に基づいて適応的である、
請求項１４の妨害信号検出器。
【請求項１７】
前記少なくとも１つの広帯域閾値（ＴＨＷＢ）または前記少なくとも１つの狭帯域閾値（ＴＨＮＢ）が、自動閾値設定ロジックによってロードされる、
請求項１４の妨害信号検出器。
【請求項１８】
前記自動閾値設定ロジックが無線周波数集積回路（ＲＦＩＣ）の利得状態に基づいている、
請求項１７の妨害信号検出器。
【請求項１９】
前記少なくとも１つの広帯域閾値（ＴＨＷＢ）の値が前記少なくとも１つの狭帯域閾値（ＴＨＮＢ）の値より大きい、
請求項１４の妨害信号検出器。
【請求項２０】
前記少なくとも１つの広帯域閾値（ＴＨＷＢ）または前記少なくとも１つの狭帯域閾値（ＴＨＮＢ）が、受信器が最高利得状態Ｇ０中にある時間に基づいて選択されている、
請求項１４の妨害信号検出器。
【請求項２１】
前記広帯域妨害信号検出器構成要素が前記遠方帯域内妨害信号の存在を判断するために前記広帯域閾値（ＴＨＷＢ）を使用し、前記狭帯域妨害信号検出器構成要素が前記至近妨害信号の存在を判断するために狭帯域閾値（ＴＨＮＢ）を使用する、
請求項１４の妨害信号検出器。
【請求項２２】
前記広帯域妨害信号検出器構成要素が、受信器の低ノイズ・アンプ（ＬＮＡ）の出力または前記受信器のＬＮＡ入力で入力信号をサンプリングする、
請求項１の妨害信号検出器。
【請求項２３】
前記受信器が高線形性モードおよび高感度モードを具備するデュアル・モード受信器である、
請求項２２の妨害信号検出器。
【請求項２４】
前記受信器を前記高線形性モードまたは前記高感度モードで動作させる選択が、前記複合割込み信号の前記値に基づいている、
請求項２３の妨害信号検出器。
【請求項２５】
前記狭帯域妨害信号検出器構成要素が前記受信器の帯域幅内で動作する、
請求項２２の妨害信号検出器。
【請求項２６】
３次相互変調に対応する第１の閾値が超過したとき、遠方帯域内妨害信号の存在を示すために広帯域（ＷＢ）割込み信号を生成するように構成された広帯域妨害信号検出器と、
２次相互変調に対応し、前記第１の閾値より低い第２の閾値が超過したとき、至近妨害信号の存在を示すために狭帯域（ＮＢ）割込み信号を生成するように構成された狭帯域妨害信号検出器と、
前記ＷＢ割込み信号および前記ＮＢ割込み信号の少なくとも１つに基づいて複合割込み信号を生成するように構成された割込み論理モジュールと、
並行送信器帯域を含む帯域において動作する１つまたは複数の送信器からの並行動作妨害信号を検出するための手段と、
を具備する、妨害信号を検出するための装置。
【請求項２７】
前記複合割込み信号が、フィルタの数を減じることによって電力消費を減じるために使用される、
請求項２６の装置。
【請求項２８】
前記電力消費がアナログ・ベースバンド低域フィルタ（ＡＢＢ  ＬＰＦ）のものであり、
前記複合割込み信号に基づいて、前記ＡＢＢ  ＬＰＦのフィルタの数が減じられる、
請求項２７の装置。
【請求項２９】
前記広帯域妨害信号検出器が少なくとも４オクターブの妨害信号スペクトルをカバーする、
請求項２６の装置。
【請求項３０】
前記狭帯域妨害信号検出器、前記広帯域妨害信号検出器、および前記検知するための手段が、狭帯域妨害信号、広帯域妨害信号および並行妨害信号に対する妨害信号検出を提供する、
請求項２６の装置。
【請求項３１】
並行動作妨害信号活動の予めわかっている情報の通知を受信するためおよび前記予めわかっている情報の通知を受信器へ中継するための手段をさらに具備する、
請求項２６の装置。
【請求項３２】
複数のアプリケーションの少なくとも１つと関連する複数の受信器と、
前記複数のアプリケーションの前記少なくとも１つと関連する複数の送信器と、
３次相互変調に対応する第１の閾値が超過したとき、広帯域妨害信号の存在を示すために広帯域（ＷＢ）割込み信号を生成するように構成された広帯域妨害信号検出器と、
２次相互変調に対応し、前記第１の閾値より低い第２の閾値が超過したとき、狭帯域妨害信号の存在を示すために狭帯域（ＮＢ）割込み信号を生成するように構成された狭帯域妨害信号検出器と、
前記ＷＢ割込み信号および前記ＮＢ割込み信号の少なくとも１つに基づいて複合割込み信号を生成するように構成された割込み論理モジュールと、
並行送信器帯域を含む帯域において動作する前記複数の送信器のうちの少なくとも１つから並行動作妨害信号を検出するように構成された並行動作妨害信号検出器と、
前記並行動作妨害信号の通知を前記複数の受信器の少なくとも１つへ送信するように構成された並行動作妨害信号検出器モジュールと、
を具備する妨害信号検出のための無線通信ユニット。
【請求項３３】
前記複合割込み信号が、フィルタの数を減じることによって電力消費を減じるために使用される、
請求項３２の無線通信ユニット。
【請求項３４】
前記電力消費がアナログ・ベースバンド低域フィルタ（ＡＢＢ  ＬＰＦ）のものであり、
前記複合割込み信号に基づいて、前記ＡＢＢ  ＬＰＦのフィルタの数が減じられる、
請求項３３の無線通信ユニット。
【請求項３５】
前記並行動作妨害信号検出器が相違するミキサ・タイプを選択する、
請求項３２の無線通信ユニット。
【請求項３６】
前記相違するミキサ・タイプがシングルエンド型レジスティブ・ミキサ（ＳＲＭ）および高調波除去ミキサ（ＨＲＭ）を具備する、
請求項３５の無線通信ユニット。
【請求項３７】
前記並行動作妨害信号検出器が複数通信ユニットの電力消費を監視するように構成された共存管理ユニットを含んでいる、
請求項３２の無線通信ユニット。
【請求項３８】
前記共存管理ユニットが電力消費現在ログを提供する、
請求項３７の無線通信ユニット。
【請求項３９】
前記共存管理ユニットが、特定の受信器の動作を、予測される送信を通知することによって、または前記送信器に送信活動の一時停止を要求することにより前記特定の受信器についての沈黙（silence）要求を計画することによって、管理する、
請求項３７の無線通信ユニット。
【請求項４０】
前記共存管理ユニットが、全地球測位システム（ＧＰＳ）位置に対し、スペクトル、無線周波数（ＲＦ）レベル、送信レベル、またはこれらの任意の組み合わせをマッピングする、
請求項３７の無線通信ユニット。
【請求項４１】
前記広帯域妨害信号検出器が少なくとも４オクターブの妨害信号スペクトルをカバーする、
請求項３２の無線通信ユニット。
【請求項４２】
前記狭帯域妨害信号検出器、前記広帯域妨害信号検出器、および前記並行動作妨害信号検出器が、狭帯域妨害信号、広帯域妨害信号および並行妨害信号に対する妨害信号検出を提供する、
請求項３２の無線通信ユニット。
【請求項４３】
前記複数の受信器のうちの１つへの並行送信器電力漏れを除去するように構成された少なくとも１つのノッチ・フィルタをさらに具備する、
請求項３２の無線通信ユニット。
【請求項４４】
前記並行動作妨害信号検出器が並行送信を検出すると、前記少なくとも１つのノッチ・フィルタが活性化される、
請求項４３の無線通信ユニット。
【請求項４５】
前記並行動作妨害信号検出器が所定値を超える干渉波を受信すると、前記少なくとも１つのノッチ・フィルタが活性化される、
請求項４３の無線通信ユニット。
【請求項４６】
前記広帯域妨害信号検出器または前記狭帯域妨害信号検出器のいずれかが並行送信を検出すると、前記少なくとも１つのノッチ・フィルタが活性化される、
請求項４３の無線通信ユニット。
【請求項４７】
前記少なくとも１つのノッチ・フィルタが永続的に活性化されている、
請求項４３の無線通信ユニット。
【請求項４８】
前記複数のアプリケーションがＢｌｕｅｔｏｏｔｈ（登録商標）、全地球測位システム（ＧＰＳ（登録商標））、周波数変調（ＦＭ）電波、ワイヤレス・フィデリティー（ＷｉＦｉ）、モバイル・テレビ、ディジタル・ビデオ放送（ＤＶＢ）、無線ユニバーサル・シリアル・バス（ＵＳＢ）、超広帯域（ＵＷＢ）ＮＦＣ（ニア・フィールド通信）、無線周波数識別（ＲＦＩＤ）技術、またはこれらの任意の組み合わせを含んでいる、
請求項３２の無線通信ユニット。
【請求項４９】
前記並行動作妨害信号が特定の送信と関連しており、
前記並行動作妨害信号検出器が、前記特定の送信に先立って前記並行動作妨害信号を検出し、先を見越して受信器ミキサを前記ＳＲＭから前記ＨＲＭに切り替える、
請求項６の妨害信号検出器。
【発明の詳細な説明】
【米国連邦法規集第３５編第１１９条による利益の主張】
【０００１】
本特許出願は、２００８年７月３１日に出願されたMethod and Apparatus for Providing Jammer Detection In A Receiverと題し且つ本願の譲受人に譲渡された仮出願６１／０８５，３２５の優先権を要求し、その内容は参照することにより本明細書に明確に組み込まれる。
【技術分野】
【０００２】
本開示は、概して通信受信器のための装置および方法に関する。より詳しくは、本開示は妨害信号（jammer）検出器アーキテクチャに関する。
【背景】
【０００３】
従来の通信受信器では、２つの矛盾する要件、すなわち高感度と高線形性が存在する。高感度は、高利得を有する低ノイズ指数の受信器特徴を指し、この結果、受信器は弱い信号に対して感度が良くなる。低ノイズ指数ＬＮＡは、弱い信号について、より良い感度および良好なＳＮＲを受信器に提供する。しかしながら、高利得を有する低ノイズ指数ＬＮＡは、強い干渉波（すなわち妨害信号）がある状態では適切なＳＮＲを提供しない。相互変調レベルが増加するからである。相互変調レベルの増加は、高感度受信器についての低い３次インターセプト・ポイント（ＩＰ３）および低い１ｄＢ圧縮点（Ｐ１ｄＢ）に起因する。
【０００４】
高線形性は、高い３次インターセプト・ポイント（ＩＰ３）および高い１ｄＢ圧縮点（Ｐ１ｄＢ）の受信器特徴を指す。高線形性受信器は、強い信号および強い干渉波（すなわち妨害信号）に対する耐性を改善してきた。すなわち、高線形性受信器は、強い信号または強い干渉波がある状態において、高感度受信器よりも少ない歪み（例えば相互変調積レベル、利得圧縮、位相非線形性、ＡＭ−ＰＭ変換など）を有する。しかしながら、高線形性受信器（すなわちＬＮＡ）はより高いノイズ指数およびより低い利得を有し、したがって、弱い妨害信号がある状態でまたは妨害信号が全く現われていない場合、最適な感度およびＳＮＲを提供することが可能でない。ある特定の入力信号環境では、受信器の必要な適当な特徴（高感度対高線形性）を決定するために、受信器に結合された妨害信号検出器が使用される。妨害信号検出器は、妨害信号が存在する状態を検出する。従来の妨害信号検出器は、典型的には、狭帯域（バンド）、１つの帯域動作について最適化されており、広い周波数範囲にわたるマルチバンド（複数帯域）、マルチスタンダード（複数規格）の受信器に対して広帯域および狭帯域妨害信号検出の両方を提供しない。
【発明の概要】
【０００５】
受信器中で妨害信号検出をもたらす方法および装置が開示されている。一側面では、妨害信号検出をもたらすための妨害信号検出器は、複数の相補的の妨害信号検出器（いずれもハードウェアおよびソフトウェア・ベースである）の組合せである。妨害信号検出器は、希望信号に対する帯域内至近妨害信号を検出するために狭帯域妨害信号検出器（ＮＢ  ＪＤ）と、遠方および帯域外妨害信号を検出するために広帯域妨害信号検出器（ＷＢ  ＪＤ）と、コンカレント動作妨害信号を検出するためのソフトウェア妨害信号検出器（ＳＷ  ＪＤ）と、を取り込んでいる。一側面では、ＮＢ  ＪＤ、ＷＢ  ＪＤ、およびＳＷ  ＪＤの各々は、自身の最適化された閾値（ＴＨｊ）を有する。一側面では、妨害信号検出器は、広い周波数範囲にわたってマルチバンド、マルチスタンダード、デュアル・モード受信器のための広帯域および狭帯域妨害信号検出の両方をもたらす。
【０００６】
一側面に従った、広帯域妨害信号の存在を示すために広帯域（ＷＢ）割込み信号を生成するための広帯域妨害信号検出器構成要素と、狭帯域妨害信号の存在を示すために狭帯域（ＮＢ）割込み信号を生成するための狭帯域妨害信号検出器構成要素と、前記ＷＢ割込み信号および前記ＮＢ割込み信号の少なくとも１つに基づいて複合割込み信号を生成するための割込み論理モジュールと、を具備する妨害信号検出器。
【０００７】
別の側面に従った、広帯域妨害信号の存在を示すために広帯域（ＷＢ）割込み信号を生成するための広帯域妨害信号検出器と、狭帯域妨害信号の存在を示すために狭帯域（ＮＢ）割込み信号を生成するための狭帯域妨害信号検出器と、前記ＷＢ割込み信号および前記ＮＢ割込み信号の少なくとも１つに基づいて複合割込み信号を生成するための割込み論理モジュールと、送信器からのコンカレント動作妨害信号を検出するための手段と、を具備する、妨害信号を検出するための装置。
【０００８】
別の側面に従った、複数の適用形態（application、アプリケーション）の少なくとも１つのための複数の受信器と、複数の適用形態の少なくとも１つのための複数の送信器と、広帯域妨害信号の存在を示すために広帯域（ＷＢ）割込み信号を生成するための広帯域妨害信号検出器と、狭帯域妨害信号の存在を示すために狭帯域（ＮＢ）割込み信号を生成するための狭帯域妨害信号検出器と、前記ＷＢ割込み信号および前記ＮＢ割込み信号の少なくとも１つに基づいて複合割込み信号を生成するための割込み論理モジュールと、前記複数の送信器のうちの１つからのコンカレント動作妨害信号を検出するためのソフトウェア・ベース妨害信号検出器と、前記コンカレント動作妨害信号の通知を前記複数の受信器の少なくとも１つへ送信するための中央ソフトウェア・ベース機構と、を具備する妨害信号検出のための無線通信ユニット。
【０００９】
別の側面に従った、コンピュータ・プログラムを格納するコンピュータ可読媒体であって、前記コンピュータ・プログラムの実行は、被サンプリング入力信号を生成するために入力信号をサンプリングすることと、被ダウンコンバート入力信号を生成するために前記入力信号をダウンコンバートすることと、被サンプリング被ダウンコンバート（ＳＤ）入力信号を生成するために前記被ダウンコンバート入力信号をサンプリングすることと、前記被サンプリング入力信号を広帯域閾値ＴＨＷＢと比較し、前記ＳＤ入力信号を狭帯域閾値ＴＨＮＢと比較することと、前記ＴＨＷＢへの比較に基づいて広帯域（ＷＢ）割込み信号を生成し、前記ＴＨＮＢへの比較に基づいて狭帯域（ＮＢ）割込み信号を生成することと、前記ＷＢ割込み信号または前記ＮＢ割込み信号の１つ以上に基づいて複合割込み信号を生成することと、のためである、コンピュータ可読媒体。
【００１０】
別の側面に従った、被サンプリング入力信号を生成するために入力信号をサンプリングすることと、被ダウンコンバート入力信号を生成するために前記入力信号をダウンコンバートし、被サンプリング被ダウンコンバート（ＳＤ）入力信号を生成するために前記被ダウンコンバート入力信号をサンプリングすることと、前記被サンプリング入力信号を広帯域閾値ＴＨＷＢと比較し、前記ＳＤ入力信号を狭帯域閾値ＴＨＮＢと比較することと、前記ＴＨＷＢへの比較に基づいて広帯域（ＷＢ）割込み信号を生成し、前記ＴＨＮＢへの比較に基づいて狭帯域（ＮＢ）割込み信号を生成することと、前記ＷＢ割込み信号または前記ＮＢ割込み信号の１つ以上に基づいて複合割込み信号を生成することと、を具備する妨害信号を検出する方法。
【００１１】
他の側面が以下の詳細な説明（そこでは、様々な側面が例証として示され記述されている）から当業者にとって容易に明らかになるであろうことが理解される。
【００１２】
図面と詳細な説明は本質的に例示的であって限定的ではないと見なされるべきである。
【図面の簡単な説明】
【００１３】
【図１Ａ】例示的共存管理システムを図示している。
【図１Ｂ】デュアル・モード受信器の例を図示している。
【図２】自動利得制御（ＡＧＣ）回路に結合されている妨害信号検出器（ＪＤ）のブロック図の例を図示している。
【図３】デュアル・モードについての状態遷移図の例を切替え点（ＳＰ）および利得状態の点から図示している。
【図４】結果得られる受信器利得状態の例を高感度モード（モード１）および高線形性モード（モード２）の両方について入力ＲＦレベルの関数として図示している。
【図５】結果得られる受信器ノイズ指数状態の例を高感度モード（モード１）および高線形性モード（モード２）の両方について入力ＲＦレベルの関数として図示している。
【図６Ａ】妨害信号周波数マップの例を図示している。
【図６Ｂ】妨害信号周波数マップの例を図示している。
【図６Ｃ】妨害信号周波数マップの例を図示している。
【図６Ｄ】妨害信号周波数マップの例を図示している。
【図７Ａ】図７Ｂに示されている妨害信号検出器ハードウェアを有する、受信チェーン中の様々な点での受信器の周波数応答の関数としての希望信号および妨害信号の出力電圧（Ｖｏｕｔ）対入力電力（Ｐｉｎ）、ならびに受信チェーン中の様々な点での受信器の周波数応答の関数としての希望信号および妨害信号の出力電力（Ｐｏｕｔ）対周波数を図示している。
【図７Ｂ】広帯域妨害信号検出器（ＷＢ  ＪＤ）構成要素（component、構成要素）および狭帯域妨害信号検出器（ＮＢ  ＪＤ）構成要素を有する妨害信号検出器、ならびに各ＪＤについての組み合わせられた割込みまたは専用割込み報告を示す妨害ロジックを図示している。
【図８Ａ】狭帯域妨害信号検出器（ＮＢ  ＪＤ）構成要素および広帯域妨害信号検出器（ＷＢ  ＪＤ）構成要素の一実現形態（implementation）を具備する妨害信号検出器のハードウェア実現形態の例を図示している。
【図８Ｂ】妨害信号検出器（ＪＤ）の例示的状態図を図示している。
【図９Ａ】受信器帯域中での妨害信号の検出を拡張するための例示的実現形態を図示している。
【図９Ｂ】本開示に従った受信器実現形態の例を図示している。
【図９Ｃ】本開示に従った受信器実現形態の例を図示している。
【図９Ｄ】本開示に従った受信器実現形態の例を図示している。
【図１０Ａ】妨害信号検出器レジスタへの割込み源および状態報告の例を図示している。
【図１０Ｂ】妨害信号検出器レジスタへの割込み源および状態報告の別の例を図示している。
【図１１Ａ】ＮＢ  ＪＤおよびＷＢ  ＪＤからの例示的割込みおよび状況報告を図示している。
【図１１Ｂ】ＮＢ  ＪＤおよびＷＢ  ＪＤからの別の例示的的割込みおよび状況報告を図示している。
【図１２】帯域内至近（close-in）妨害信号、遠方（far off）妨害信号、コンカレント動作による妨害信号の妨害信号検出のための組合せハードウェアおよびソフトウェア実現形態の例を図示している。
【図１３Ａ】マルチコム無線携帯電話の例を、複数の受信器、トランシーバ、接続技術および高、中、低アタッチ・レート（attach rate）の複数のインデグレーション・レベルを図示している。
【図１３Ｂ】ＮＢ  ＪＤおよびＷＢ  ＪＤの組合せを含むハードウェアＪＤの例をコンカレント動作をカバーするためのソフトウェアＪＤおよび電力供給を監視するための能力とともに図示しており、ＰＭＩＣがコンカレント動作を間接的に監視するかコンカレント動作電流消費を監視するとともにプラットフォーム全体の現在ログを提供する。
【図１３Ｃ】コンカレント無線方式が動作している場合の干渉波シナリオ、および１つのシステムからの送信器が別のシステムの受信器へスプリアス信号を結合することの例を図示している。
【図１４Ａ】適応的ＴＨについて使用されることが可能なＲＦ電力対妨害信号電圧の関係の例を図示している。
【図１４Ｂ】適応的ＴＨについて使用されることが可能なＲＦ電力対妨害信号電圧の関係の例を図示している。
【図１５】ＷＢ  ＪＤをもっぱら（exclusively）サポートするためにＮＢ  ＪＤロジックを修正するための例を図示している。
【図１６】同じロジックを使用するとともにＨＷを省くとともにＷＢ  ＪＤおよびＮＢ  ＪＤをサポートするようにＮＢ  ＪＤロジックを修正するための例を図示している。
【図１７】妨害信号を検出するための例示的フローチャートを図示している。
【図１８】妨害信号を検出するのに適する装置１８００の例を図示している。
【詳細な説明】
【００１４】
添付図面との関連で下に記述されている詳細な説明は、本開示の様々な側面の説明であることを意図されており、本開示が実行され得る唯一の側面を表わすことを意図されていない。この開示に記述されている各側面は、単に本開示の例または例証として提供され、必ずしも、他の側面よりも好ましいまたは有利だと解釈されるべきでない。詳細な説明は、本開示についての十分な理解を提供する目的で諸詳細事項を含んでいる。しかしながら、本開示がこれらの詳細事項無しで実行される得ることは当業者に明らかだろう。いくつかの実例では、周知の構造および装置は本開示の概念を不明瞭化することを避けるためにブロック図の形態で示されている。頭字語および他の記述用用語は、単に便宜上および明確化のために使用されているかもしれず、本開示の範囲を制限することを意図されていない。
【００１５】
説明の簡略化目的のために方法体系が一連の行為として示され且つ記述されている一方、方法体系は行為の順序によって制限されないことが理解および認識されるべきである。いくつかの行為が１または複数の側面に従って本明細書において示され且つ記述されている順序から離れて相違する順序でおよび／または他の行為と同時に起こってもよいからである。例えば、当業者は、方法体系が一連の互いに関係する状態またはイベント（例えば状態図でのように）として代わりに表わされることが可能であることを理解および認識するだろう。また、全ての例示されている行為が１または複数の側面に従って方法体系を実施するために要求されているとは限らないかもしれない。
【００１６】
本開示は、オフエア（off-air）妨害信号から非常に広い帯域の受信器を保護する非常に広帯域の妨害信号検出（ＪＤ）ハードウェア・アーキテクチャを記述している。一例では、広帯域妨害信号検出器は、少なくとも４つのオクターブの妨害信号スペクトルをカバーしている（cover）。アナログ・ベースバンド回路において実施される狭帯域妨害信号検出器（ＮＢ−ＪＤ）は、ＮＢ−ＪＤの帯域外の妨害信号による利得圧縮および２次相互変調（ＩＭＲ２）のような至近（close-in）妨害信号の影響に対して保護を行なう。ＮＢ−ＪＤの帯域外の妨害信号は、ＮＢ−ＪＤによって検出される妨害信号とともに３次相互変調（ＩＭＲ３）積を形成する。受信器フロントエンド回路において実施される広帯域妨害信号検出器（ＷＢ−ＪＤ）は、ＮＢ−ＪＤ性能をはるかに越えている帯域内オフエア妨害信号に対する保護を行なう。ＮＢ−ＪＤは、受信帯域中でＩＭＲ３積を生成し得る非常に高電力の妨害信号から非常に広い帯域の受信器を保護する。ＮＢ−ＪＤは、受信器を、その動作ＢＷ（帯域幅）を超えている妨害信号から、その検出ＢＷ外の妨害信号とともにＩＭＲ３および混変調を生成する可能性がある妨害信号をその検出ＢＷ内で検出することによって、保護する。一側面では、本開示は２つの独立した閾値を利用することを記述している。以下のシナリオの下での受信器の動作の高感度モードを最適化するために、閾値の一方はＮＢ−ＪＤ用、もう一方はＷＢ−ＪＤ用である。
【００１７】
・利得圧縮ならびに混変調を引き起こす隣接妨害信号およびアナログ・ベースバンド帯域幅中の妨害信号が、ＷＢ−ＪＤと比較して低いＮＢ−ＪＤを始動させる（trip）。換言すると、広帯域閾値（ＴＨＷＢ）の値は、狭帯域閾値（ＴＨＮＢ）の値より大きい。
【００１８】
・ＩＭＲ３積を生成し得る遠方妨害信号は、ＮＢ−ＪＤに比べて高い閾値でＷＢ−ＪＤを始動させる。
【００１９】
・妨害信号検出器（ＪＤ）の２つの別個のセットを使用することは、１つの閾値および１つの妨害信号検出器（ＪＤ）の使用に比べて、より最適に受信器を保護する。２つのＪＤを使用することは、より良い感度、より良い線形性、およびより高い効率につながる。
【００２０】
一側面では、広帯域閾値（ＴＨＷＢ）および／または狭帯域閾値（ＴＨＮＢ）は受信器が最高利得状態Ｇ０にある時間を最適化するように選択されている。一例では、受信器は、妨害信号検出器を具備する。
【００２１】
また、一側面では、本開示は、無線通知を加えるモジュラー・アプローチによって完全マルチ（複数）無線共存管理を可能にするソフトウェア・ベースの妨害信号検出器（ＳＷ−ＪＤ）２３０（図２に示されている）を実施する。ＳＷ−ＪＤは、予測されるコンカレント（concurrent、並行）送信に関する情報を提供し、送信の電力、周波数、および継続時間に基づいて受信器を保護モードへと移行させる。ＳＷ−ＪＤは、また、受信器の管理ソフトウェアにコンカレント送信パラメータを通知する。このパラメータに基づいて、ＳＷ−ＪＤは、スプリアス信号を減ずるとともに２次相互変調（ＩＭ２）積から受信器を保護するために、例えば受信器ＳＲＭ（シングルエンド型レジスティブ・ミキサ）ミキサをＨＲＭ（高調波除去ミキサ／高調波ミキサ）ミキサに切り替える。ＳＷ−ＪＤは、また、受信器が始めたサイレンス（silence、沈黙）要求に関して、受信器の残りの部分に通知する。例えば、ＧＰＳ受信器は、それが受信器取得を実行し得るように、他の全ての無線にそれらの動作を一時停止するように依頼し得る。ＳＷ−ＪＤは、送信イベントを検出するとともに電力消費を監視するために電力管理集積回路（ＰＭＩＣ）探知器（スニッファー、sniffer）としても動作し得る。
【００２２】
一側面では、ハードウェアＪＤインターフェースは、ＪＤとベースバンド回路との間で割込み源および妨害信号タイプを定義する設定可能なインターフェースを可能にしている。例えば、各ＪＤは自身の割込ラインを有し、両方のＪＤが同じ割込みを共用し、各ＪＤは自身の状態ビットを有する。ハードウェアＪＤインターフェースは、また、利得状態およびＪＤ状態についてのＳＢＩ（シリアル・バス・インターフェース）コードに基づいて閾値の自動更新を可能にしている。このことは、ＳＢＩ書込み動作を省く。
【００２３】
受信／送信マッピングは、ＳＷ−ＪＤキオスク（kiosk）を使用し、位置に基づいている。一側面では、ソフトウェア・キオスクは、ユーザに情報を、この情報の変更を許可することなく提供する。ソフトウェア・キオスクは、ＧＰＳ受信器データを使用して、位置に基づいて全てのコンカレント送信の全ての送信電力をマッピングする。ソフトウェア・キオスクは、ＧＰＳ受信器データを使用して、位置に基づいて、全てのコンカレント受信器および実際に保護されている受信器の受信器レベルを全てマッピングする。また、ソフトウェア・キオスクは、ＧＰＳ受信器データを使用して、位置に基づいて、全ての受信／送信動作に基づいた電源消費を全てマッピングする。最後に、ソフトウェア・キオスクは、ＧＰＳ受信器データを使用して、位置に基づいて、全ての受信／送信動作に基づいた動作モードをマッピングする。別の側面では、受信／送信マッピングは、受信／送信位置の関数として、受信スペクトル、送信スペクトル、および電力消費において使用される。別の側面では、受信／送信マッピングは、このデータを受信／送信ユニットからデータ・サービス・チャネルを介して取り出すことによって実地での試行（field trial）を評価するとともにユーザー・プロファイル実験を行なうために運営主体（オペレータ）によって使用されることが可能である。
【００２４】
図１Ａは例示的な共存管理システムを図示している。図１Ａにおいて示されているように、様々なシステム管理ソフトウェアが、ハードウェア妨害信号検出器インターフェース、共存管理ソフトウェア、およびデュアル・モード自動利得制御（ＡＧＣ）ソフトウェアとインターフェースしている。
【００２５】
デュアル・モード受信器は２つのモード間で切り替わる。一側面では、２つのモードは高感度モード（モード１）および高線形性モード（モード２）を含んでおり、デュアル・モード受信器は入力信号環境に依存してこれらの２つのモード間で切り替わる。デュアル・モード受信器が高感度モードにある場合、強い妨害信号が現われると、デュアル・モード受信器は即時の保護を必要とし得る。一例では、そのような保護はファスト・アタック自動利得制御（ＡＧＣ）回路を使用して実行される。ファスト・アタックは、強い入力信号レベル（例えば妨害信号）の出現後の速い利得低減であるＡＧＣ回路またはアルゴリズムの特性を指している。次いで、強い妨害信号が消えると、デュアル・モード受信器はスロー・リリースＡＧＣ回路またはアルゴリズムに２つのモード間の速い切り替わりを回避することを要求し得る。スロー・リリースは、強い入力信号レベル（すなわち強い妨害信号）の消失後のゆっくりとした利得増加であるＡＧＣ回路またはアルゴリズムの特性を指している。
【００２６】
従来の受信器デザインでは、ＡＧＣ動作モードは、１つの無線周波数（ＲＦ）帯域上での狭帯域動作用に設計された１つの妨害信号検出器（ＪＤ）による引き金で開始される。しかしながら、多くの無線のシナリオでは、複数の干渉する送信器が、様々な周波数帯、送信電力レベル、および変調方式で動作している。１つの妨害信号検出器は、非常に広い帯域幅上での様々な妨害信号を検出するのに最適ではない。しかしながら、広帯域環境において全ての妨害信号から受信器を保護する要求がある。
【００２７】
図１Ｂは、デュアル・モード受信器１００の例を図示している。このデュアル・モード受信器については、モード１は高感度および低線形特性を有する。モード２は高線形性および中程度感度特性を有する。モード１は、低ノイズ指数、高利得、および低消費電流を有するＬＮＡを使用する。モード１は、受信器入力に低レベルの妨害信号が存在するか妨害信号が存在しない場合に使用される。モード２は、より低い利得、より高いＩＰ３、より高い電流消費、およびより低いノイズ指数を有するＬＮＡを使用する。モード２は、強い妨害信号がデュアル・モード受信器入力中に存在する場合に使用される。２つのモード間の遷移は、図２に示されているＪＤリード・ブロック２１０による引き金で開始し、自動利得制御（ＡＧＣ）回路またはアルゴリズム２２０によって実施される。
【００２８】
一例では、入力ＲＦ信号は、デュアル・モード受信器に結合されている受信アンテナ（図示せず）によって捕捉され、それぞれモード１出力ＲＦ信号およびモード２出力ＲＦ信号を低雑音増幅および生成するためにモード１ＬＮＡおよびモード２ＬＮＡの両方の入力（それぞれ１１０および１２０）に送信される。図１Ｂに示されているように、モード１ＬＮＡは入力１１０を有し、モード２ＬＮＡは入力１２０を有する。ＡＧＣ回路２２０は、モード１出力ＲＦ信号とモード２出力ＲＦ信号の間を選択して選択された出力ＲＦ信号を産出するための機構（図示せず）を提供する。当業者は、本開示の思想および範囲に影響することなく、モードを選択するための本分野で既知の様々な機構を使用することが可能であることを理解するだろう。
【００２９】
選択された出力ＲＦ信号は、入力ベースバンド信号を周波数ダウンコンバージョンおよび生成するためにミキサ／低域フィルタ（ＬＰＦ）１３０に送信される。例として、入力ベースバンド信号は入力ディジタル信号への変換のためにアナログ・ディジタル変換器（ＡＤＣ）１４０に送信される。次に、入力ディジタル信号は出力ディジタル信号を利得調整および生成するためにディジタル可変利得アンプ（ＤＶＧＡ）１５０に送信される。次に、出力ディジタル信号はデータを取り込みおよび復調するためにサンプル・サーバ（ＳＳ）モジュール１６０に送信され、また出力ディジタル信号のエネルギー（例えば受信器出力エネルギー）の推定のためにエネルギー推定器（ＥＥ）１７０に送信される。
【００３０】
図２は、自動利得制御（ＡＧＣ）回路に結合されている妨害信号検出器（ＪＤ）のブロック図の例を図示している。妨害信号検出器（ＪＤ）および自動利得制御（ＡＧＣ）回路は、図１Ｂに示されているデュアル・モード受信器１００に結合されている。一側面では、妨害信号検出器（ＪＤ）および自動利得制御（ＡＧＣ）回路は、デュアル・モード受信器の一部である。妨害信号検出器入力信号（これは妨害信号と希望信号の両方を含んでいる）は、強い妨害信号を検出するとともにＡＧＣアルゴリズムまたは回路への割込みまたは割込み状態ビットを生成するために妨害信号検出器（ＪＤ）へ送信される。一例では、希望信号は、エネルギー推定器（ＥＥ）１７０（図１Ｂにおいて示されている）の出力である。希望信号のＥＥ被算出（算出された）エネルギー・レベル値は、図１Ｂのアイテム（item）１１０および１２０によって示されているように、ＡＧＣアルゴリズムに望まれる受信器利得状態を通知する。妨害信号検出器入力信号のレベルが所定の妨害信号検出器閾値ＴＨｊを超えている場合、妨害信号検出器割込みビットがＪＤによってポーリングまたは割込モードのいずれかに関して設定され、リード・ブロック２１０から（すなわち、一例では、デュアル・モードＡＧＣアルゴリズムのための入力において）取得され、ＡＧＣ回路またはアルゴリズム２２０に送信される。一例では、妨害信号検出器割込みビット＝１は、ＴＨｊを超える妨害信号レベルが検出されたことを意味する。そして、妨害信号検出器割込みビット＝０は、ＴＨｊを超える妨害信号レベルが検出されていないことを意味する。一側面では、妨害信号検出器は、複数の妨害信号検出器（各々所定の妨害信号検出器閾値ＴＨｊ値で設定されている）の組合せである。一側面では、妨害信号検出器は複数の相補的な妨害信号検出器に基づいており、ハードウェアまたソフトウェアの両方に基づいている。妨害信号検出器は、帯域内至近妨害信号を検出するための狭帯域妨害信号検出器（ＮＢ  ＪＤ）、遠方帯域外妨害信号を検出するための広帯域妨害信号検出器（ＷＢ  ＪＤ）、およびコンカレント動作妨害信号のためのソフトウェア妨害信号検出器（ＳＷ  ＪＤ）２３０を取り込んでいる。図２に示されているように、ＮＢ−ＪＤおよびＷＢ−ＪＤはＲＦＩＣ  ＷＢ／ＮＢ  ＪＤ２４０へと実現されている。ＮＢ  ＪＤ、ＷＢ  ＪＤ、およびＳＷ  ＪＤの各々は、自身の最適化された妨害信号検出器閾値（ＴＨｊ）を有する。一側面では、狭帯域妨害信号検出器、広帯域妨害信号検出器、およびソフトウェア妨害信号検出器は、オフエア妨害信号およびコンカレント妨害信号に対する妨害信号検出をもたらす。
【００３１】
ＡＧＣ回路またはアルゴリズム２２０は、該ＡＧＣ回路への入力として、現在のＬＮＡ利得状態、現在のＤＶＧＡ利得状態、および現在のＥＥ値だけでなく妨害信号検出器割込みビットも受け取る。ＡＧＣ回路の出力は、様々なＡＧＣ入力に基づいた最新のＬＮＡ利得状態および最新のＤＶＧＡ利得状態である。一例では、ＡＧＣ回路の出力は、（図１Ｂにおいて示されている）２つのＬＮＡおよびＤＶＧＡ１５０のうちの一方に向けられる。一例では、ＡＧＣ回路２２０は、高感度モード（モード１）における利得状態および高線形性モード（モード２）における利得状態の選択を定める２つのＡＧＣ表を取り込んでいる。一例では、デュアル・モード受信器がモード１（高感度モード）に設定されているとともに妨害信号検出器割込みビットがＨＩＧＨへと論理的に有効にされている（すなわちビット＝１）場合、強い妨害信号が存在することを示すために、ＡＧＣ回路２２０は、最新のＬＮＡ利得状態および最新のＤＶＧＡ利得状態をモード２（高線形性モード）でのそれらの適切な値に設定することによって応答する。一側面では、２つのＡＧＣ表は１つのＡＧＣ表として組み合わせられている。別の例では、デュアル・モード受信器がモード２（高線形性モード）に設定されているとともに妨害信号検出器割込みビットが所定期間にわたってＬＯＷ（すなわちビット＝０）のままであった場合、所定期間にわたって強い妨害信号が存在しないことを示すために、ＡＧＣ回路２２０は、最新のＬＮＡ利得状態および最新のＤＶＧＡ利得状態をモード１でのそれらの適切な値に設定する。
【００３２】
一側面では、モード２（高線形性モード）ＬＮＡは複数の利得状態を有する。一例では、モード２ＬＮＡは、ノイズ指数を犠牲にしながら利得を減じるとともにＰ１ｄＢおよびＩＰ３を大きくするために、３つの利得状態Ｇ１、Ｇ２、およびＧ３を有する。さらに、モード２は、適用形態（application、アプリケーション）に基づいて、より高い利得状態Ｇ４、Ｇ５、およびＧ６、ならびにさらに多くの利得状態を有し得る。一側面では、ＡＧＣ回路において、モード２ＬＮＡ利得状態は、ＡＧＣ切替え点の交差に依存する。一例では、モード１ＬＮＡは複数の利得状態を有する。当業者は、本開示の思想や範囲に影響することなく、具体的な適用形態および設計パラメータに依存して、モード１および／またはモード２についての利得状態の数を選択することが可能であることを理解するだろう。
【００３３】
図３は、デュアル・モードについての状態遷移図の例を切替え点（ＳＰ）および利得状態の点から図示している。切替え点は、モードを表わすｘ値、および切替え点を表わすｙ値を有するＳＰｘｙとして表示されている。図３では、各モード（モード１およびモード２）が６つの切替え点を有する。利得状態は、モード１についてのＧ０〜Ｇ６およびモード２についてのＧ１〜Ｇ６として表示されている。Ｇ０はモード２ではバイパスされる。上側の線は高感度モード（モード１）についての状態遷移を示しており、下側の線は高線形性モード（モード２）についての状態遷移を示している。図３に示されているように、各切替え点において、異なる利得状態が選択される。
【００３４】
図４は、結果得られるデュアル・モードＡＧＣ受信器利得状態の例を高感度モード（モード１）および高線形性モード（モード２）の両方について入力ＲＦレベルの関数として図示している。図４に示されているように、モード１では、デュアル・モードＡＧＣ受信器は、低入力電力レベル（Ｐｉｎ）について最高利得状態Ｇ０から始まり、入力電力レベル（Ｐｉｎ）が増加するにつれて対応する切替え点（ＳＰ１１、ＳＰ１２、ＳＰ１３…）で連続する利得状態（Ｇ１、Ｇ２、Ｇ３…）に移行する。図４に示されているように、モード２では、デュアル・モードＡＧＣ受信器は、低入力電力レベル（Ｐｉｎ）について利得状態Ｇ１から始まり、入力電力レベル（Ｐｉｎ）が増加するにつれて対応する切替え点（ＳＰ２２、ＳＰ２３…）で連続する利得状態（Ｇ２、Ｇ３…）に移行する。モード２についての切替え点ＳＰ２１は、モード２において利得状態Ｇ０をバイパスするために非常に低い入力電力レベル（例えば−２００ｄＢｍ）に設定されている。
【００３５】
図５は、結果得られるデュアル・モードＡＧＣ受信器ノイズ指数状態の例を高感度モード（モード１）および高線形性モード（モード２）の両方について入力ＲＦレベルの関数として図示している。図５に示されているように、モード１では、デュアル・モードＡＧＣ受信器は、低入力電力レベル（Ｐｉｎ）について最高利得状態Ｇ０および最低ノイズ指数ＮＦＧ０から始まり、入力電力レベル（Ｐｉｎ）が増加するにつれて対応する切替え点（ＳＰ１１、ＳＰ１２、ＳＰ１３…）で対応するノイズ指数（ＮＦＧ１、ＮＦＧ２、ＮＦＧ３…）を有する連続する利得状態（Ｇ１、Ｇ２、Ｇ３…）に移行する。図５に示されているように、モード２では、デュアル・モードＡＧＣ受信器は、低入力電力レベル（Ｐｉｎ）について利得状態Ｇ１および対応するノイズ指数ＮＦＧ１から始まり、入力電力レベル（Ｐｉｎ）が増加するにつれて対応する切替え点（ＳＰ２２、ＳＰ２３…）で対応するノイズ指数（ＮＦＧ２、ＮＦＧ３…）を有する連続する利得状態（Ｇ２、Ｇ３…）に移行する。モード２についての切替え点ＳＰ２１は、モード２において利得状態Ｇ０をバイパスするために非常に低い入力電力レベル（例えば−２００ｄＢｍ）に設定されている。
【００３６】
妨害信号検出器の状態に基づいて、図３に図示されているように、諸ＡＧＣ切替え点は相互に進められるたり遅らせられたりする。ＡＧＣ切替え点は、図４に示されているようにＬＮＡ利得状態およびノイズ指数対ＲＦ入力電力に影響する。高利得状態では、諸ＡＧＣ切替え点はデュアル・モードＡＧＣ動作を簡略化するために合併するだろうが、義務的な必要条件として合併する必要はない。合併の特徴は出力電圧レベル対入力電力に依存し、出力電圧レベルはＡＤＣ飽和を防ぐためにＡＤＣのフルスケール参照（full scale reference）を超えないように制限されている。一側面では、切替え点の値は妨害信号が存在する状態においてより早く切り替わるように修正される。一側面では、利得状態同士（Ｇ０状態を除く）間の切替え点の値は、妨害信号レベルに基づいて適応的である。
【００３７】
別の側面では、ＡＧＣ切替え点表は、（ミキサ非線形性を緩和するために）利得圧縮点、（ＡＤＣ非線形性を緩和するために）ＡＤＣ飽和点、および（全体的な搬送波／ノイズ劣化を緩和するために）受信器３次相互変調率（ＩＭＲ３）のような複数のパラメータに基づいている。一例では、ＡＧＣ切替え点は、妨害信号無しの環境において受信器線形性および感度要件を満たすように最適化される。妨害信号が存在する状態では、ＡＧＣ切替え点値は、より早い利得切替えを引き起こすように修正される。修正されたＡＧＣ切替え点値は、妨害信号レベルに依存して適応的であり得る。
【００３８】
一側面では、妨害信号検出器の特徴は様々な無線規格によって定義されている。妨害信号検出器は、ファスト・アタック工程の間に切替え点参照表をモード２へ変えることをＡＧＣに通知することによって、妨害信号による利得圧縮、飽和、混変調（Ｘ−ＭＯＤ）、および相互変調積から受信器を保護する。図６Ａ〜６Ｄは、妨害信号位置対周波数を示す妨害信号周波数マップの例を図示している。図６Ａは、ＲＦスペクトル中のＶＨＦ妨害信号の妨害信号周波数マップを図示している。図６Ｂは、ＲＦスペクトル中のＵＨＦ妨害信号の妨害信号周波数マップを図示している。図６Ｃは、ＲＦスペクトル中のＬ１妨害信号の妨害信号周波数マップを図示している。図６Ｄは、ＲＦスペクトル中のＬ２妨害信号の妨害信号周波数マップを例示している。図６Ａ〜図６Ｄにおいて、ＲＦフロントエンド（ＲＦＥＥ）中の、妨害信号が現われている３つの周波数帯が、帯域Ａ、帯域Ｂ、および帯域Ｃとして示されている。帯域Ａおよび帯域Ｂは、３次相互変調積および利得圧縮を生成する妨害信号組合せについての周波数範囲である。帯域Ｃは、帯域Ｂとともに利得圧縮、混変調積、および３次相互変調積を生成するコンカレント送信器帯域である。アナログ・ベースバンド（ＡＢＢ）へのダウンコンバージョンの後では、妨害信号検出器帯域幅は帯域Ａのみに制限されている。一側面では、帯域Ａは狭帯域妨害信号検出器（ＮＢ  ＪＤ）の帯域幅である。帯域Ａは、帯域Ｂとともに３次相互変調積を生成する周波数も表わしている。帯域Ａは帯域Ｂ内に含まれている。別の側面では、帯域Ｂは無線規格によって定義されている受信器帯域幅の仕様である。帯域Ｂの一部は、帯域Ａとともに受信器の動作帯域内に入る相互変調積を生成する。一側面では、ＮＢ  ＪＤ帯域幅がより広い場合、帯域Ａもより広い。別の側面では、帯域Ｃはコンカレント送信器帯域を含んでいる。
【００３９】
帯域内相互変調積を生成するための条件は等式（１）から与えられる。
【００４０】
（１）ｆ０＝２ｆ１−ｆ２
ここで、ｆ０は希望（desired）周波数である。等式（１）は、帯域Ｂとともに相互変調を形成する帯域Ａの最高周波数を定義する。結果として、帯域Ａの上限がｆ１であれば、帯域Ｂのカバー範囲（coverage）の上限はｆ２である。したがって、ＮＢ−ＪＤ帯域幅が広いほど、帯域Ａおよび帯域Ｂのカバーされる部分も広い。そのため、帯域Ａ中の妨害信号を検出することは、帯域Ｂ中の妨害信号による相互変調積に対して保護をする。Ａ帯域およびＢ帯域による相互変調積からのより広い帯域の保護は、帯域Ａ中のより広い帯域妨害信号検出によって得られる。さらに、帯域Ａは、狭帯域ＪＤによって検出される隣接およびさらにその隣の（alternate）妨害信号周波数を含んでいる。しかしながら、帯域Ｂは、たとえ帯域Ａ中の妨害信号を検出することが帯域Ｂ中の妨害信号による相互変調積に対して保護をしても、ＮＢ  ＪＤによってカバーされない残った帯域幅である。
【００４１】
一側面では、設計の目標は、受信器入力において雑音レベル未満の例えば相互変調レベル１６ｄＢを保持することである。妨害信号検出器が帯域Ａ中の妨害信号を検出した場合、それは帯域Ｂの諸部分中の妨害信号からも保護される。ＩＭＲ３積が回避されるからである。この妨害信号検出および保護は帯域Ａおよび帯域Ｂについての相互変調緩和に起因する。しかしながら、場合によっては、妨害信号が帯域Ｂ中のみに存在し、別の場合では、妨害信号は、帯域Ｂの、ＮＢ  ＪＤの狭帯域幅制限により相互変調形成によってカバーされない高い部分に存在する。妨害信号検出のための帯域Ｂにおける２つのケースは次の通りである。
【００４２】
ａ）帯域Ａ中には妨害信号が存在しないが、帯域Ｂの高い周波数部分中に妨害信号が存在する場合（この場合、相互変調は帯域ＡおよびＢによって形成されない）
ｂ）帯域Ａ中には妨害信号が存在しないが、帯域Ａとともに相互変調積を形成することが可能な帯域Ｂ中の妨害信号が有る場合
この後者の例では、帯域Ａ中に妨害信号が存在しないので、帯域Ｂ中の妨害信号に対する妨害信号保護が無い。このケースについては、ＷＢ−ＪＤが必要であり、ＷＢ−ＪＤが実施される。
【００４３】
帯域Ｃの周波数帯は、セルラ無線、およびグローバル移動体通信システム（ＧＳＭ（登録商標））、広帯域符号分割多元接続（ＷＣＤＭＡ）、Ｂｌｕｅｔｏｏｔｈ（登録商標）（ＢＴ）、ＩＥＥＥ８０２．１１などのような様々な他の送信適用形態のようなコンカレント周波数を表わしている。これらは、ＵＨＦにおいて広範囲の帯域Ｂにわたって利得圧縮、混変調、または相互変調積を引き起こす。このコンカレント周波数送信はコンカレント送信器によって内部で生成されるかデュアル・モード受信器に結合されているアンテナ（図示せず）によって受信され得る。
【００４４】
一例では、妨害信号検出器は、次のような全ての適用可能な規格および周波数帯をサポートしている。ＶＨＦ  １６８ＭＨｚ〜２４５ＭＨｚ、ＵＨＦ  ４７０ＭＨｚ〜７５０ＭＨｚ、２つのサブバンド（sub-band）である１４５２ＭＨｚ〜１４９２ＭＨｚのＬ１および１６７０ＭＨｚ〜１６７５ＭＨｚのＬ２（アメリカ合衆国）によって分類される複数のＬ帯域。
【００４５】
表１は、妨害信号範囲を定義するための帯域定義の例を示している。表１に示されているように、Ｌ帯域システムは当然ながら帯域Ｃによって定義されているコンカレント領域中で動作する。さらに、帯域Ｂおよび帯域Ｃは、例えば２×７００ＭＨｚ〜１４００ＭＨｚのＩＭＲ積を形成し得る。帯域Ａは、無線周波数（ＲＦ）帯域中で示されているＮＢ  ＪＤの帯端であり、局部発振器（ＬＯ）の設定に従っている。帯域Ｂは、受信器の標準の動作帯域として定義されており、帯域Ａを含んでいる。この例におけるＬＯ設定は各動作帯域についての低い方の周波数である。
【表１】
0005559171.tif 000002
【００４６】
表２は、デュアル・モードＡＧＣ受信器１００のようなマルチ帯域受信器についての帯域Ａ、Ｂ、およびＣについての定義の例を示している。帯域Ｂの相互変調積に対してカバーされている部分はＬＯ±３６ＭＨｚ〜ＬＯ±７２ＭＨｚ内にある。ＮＢ  ＪＤの動作帯域幅が３６ＭＨｚであり、ＮＢ  ＪＤによる妨害信号の検出が相互変調積に対して保護をしているからである。ＮＢ  ＪＤは、さらなる３６ＭＨｚ（これはＬＯ±７２ＭＨｚである）についての相互変調積に対して保護をしている。しかしながら、ＮＢ  ＪＤ検出範囲（ＬＯ±３６ＭＨｚ）内に妨害信号が存在しなければ、ＬＯ±３６ＭＨｚ〜ＬＯ±７２ＭＨｚの帯域Ｂ範囲においてＮＢ  ＪＤによる相互変調積からの保護は無いだろう。圧縮非線形性からの保護は帯域Ｂおよび帯域Ｃの全体をカバーしなければならないので、妨害信号検出器はＷＢ  ＪＤを実施することによって広帯域受信器動作をも含めている。この例についてのＬＯ設定は関連する動作帯域中の任意の周波数であってよい。
【表２】
0005559171.tif 000003
【００４７】
一側面では、妨害信号検出器のハードウェア実現形態（implementation）は２つの構成要素（component、構成要素）、アナログ・ベースバンド部中でＮＢ  ＪＤを、およびＲＦ部中でＷＢ  ＪＤを具備する。図７Ｂは、広帯域妨害信号検出器（ＷＢ  ＪＤ）構成要素７２０および狭帯域妨害信号検出器（ＮＢ  ＪＤ）構成要素７２０を有する妨害信号検出器および割込みロジック７３０のハードウェア実現形態の例を図示しており、各ＪＤについての組み合わせられた割込みまたは専用割込報告を示している。図７Ａは、図７Ｂに示されている妨害信号検出器ハードウェアを有する、受信チェーン中の様々な点での受信器の周波数応答の関数としての希望信号および妨害信号の出力電圧（Ｖｏｕｔ）対入力電力（Ｐｉｎ）、ならびに受信チェーン中の様々な点での受信器の周波数応答の関数としての希望信号および妨害信号の出力電力（Ｐｏｕｔ）対周波数を図示している。ＮＢ  ＪＤは、相互変調条件が存在する、すなわち帯域Ａ内に妨害信号がある場合に帯域Ａおよび帯域Ｂの一部をカバーする。ＮＢ  ＪＤがより広いと、帯域Ｂのより大きな部分がカバーされる。ＷＢ  ＪＤは帯域Ａ、Ｂ、およびＣをカバーする。ＷＢ  ＪＤおよびＮＢ  ＪＤ構成要素を組み合わせることは、相互変調積および利得圧縮に対する緩和をもたらす。
【００４８】
一例では、ＮＢ  ＪＤはミキサ出力の後でゼロ中間周波数（ＺＩＦ）アナログ・ベースバンド信号をサンプリングする。これは、例えばＡＢＢ  ＬＰＦ  ７４０ａ、７４０ｂ（アナログ・ベースバンド低域フィルタ）の前のトランスインピーダンス・アンプ（ＴＩＡ）であり得る。別の例では、アナログ・ベースバンド信号は非ゼロ中間周波数である。通常のスーパーヘテロダイン受信器では、ＮＢ  ＪＤは、例えばＩＦ帯域通過フィルタ（ＢＰＦ）の入力の前でＩＦ信号をサンプリングする。サンプリングされた信号は、図７によって描かれるているように比較器にルーティングされる。一例では、ＮＢ  ＪＤブロックは、帯域Ａについて、Ｎ±１、Ｎ±２、Ｎ±３、Ｎ±４（およそ最大４×８ＭＨｚ＋４ＭＨｚ＝３６ＭＨｚ）として表示されている、隣接帯域およびさらにその隣の周波数帯域からの保護をもたらす。別の例では、３６ＭＨｚ範囲中で妨害信号を検出することは、帯域Ｂについて７２ＭＨｚの範囲までの相互変調生成妨害信号に対して保護をする。しかしながら、３６ＭＨｚ範囲を越える妨害信号が存在する場合、および帯域Ａ中に妨害信号が存在しない場合、本付加的ＷＢ妨害信号検出器構成要素が必要である。一例では、ＬＮＡミキサ７５０は相違するミキサ・タイプ、例としてシングルエンド型レジスティブ・ミキサ（ＳＲＭ）および高調波除去ミキサ（ＨＲＭ）を含んでいる（これらに制限されない）。
【００４９】
図８Ａは、狭帯域妨害信号検出器（ＮＢ  ＪＤ）構成要素および広帯域妨害信号検出器（ＷＢ  ＪＤ）構成要素の一実現形態を具備する妨害信号検出器のハードウェア実現形態の例を図示している。ＷＢ  ＪＤは、利得圧縮、非常に高い保護率（protection ratio）を有する「遠方」妨害信号による混変調、および相互変調積から受信器を保護する。「遠方」妨害信号は、ＮＢ  ＪＤの帯域幅制限（例えば３６ＭＨｚ）ゆえにＮＢ  ＪＤによって検出されることが可能でない。ＷＢ  ＪＤを追加することは、ＮＢ  ＪＤの帯域幅制限を克服する。さらに、ＶＨＦ、ＵＨＦ、およびＬ帯域が、帯域Ａ、ＢおよびＣについて保護される。ＷＢ  ＪＤを追加することは、表１において示されているカバー範囲問題を解決する。一例では、ＷＢ  ＪＤは、ハードウェア中で実施されるとともに帯域Ｂをカバーし、また、ソフトウェア妨害信号検出器実現形態は、帯域Ｃ内でのコンカレント動作をカバーする。
【００５０】
図８Ａおよび図７Ｂにおいて、受信器を通る希望信号の流れおよび妨害信号の流れが図示されている。例えば、ＮＢ  ＪＤ信号サンプルは、ＴＩＡ出力またはＬＰＦに先立つ別のタップ点において取り出され、検出のためにＮＢ  ＪＤ比較器に供給される。一例では、ＮＢ  ＪＤはゼロＩＦまたは非常に低いＩＦ受信器出力形態にある同相（Ｉ）信号成分または直交（Ｑ）成分あるいはＩ成分およびＱ成分の両方をセンスする。別の例では、ＮＢ  ＪＤは、ＩＦ  ＢＰＦに先立って、ＩＦ受信器出力形態にあるＩ信号成分またはＱ成分あるいはＩ成分およびＱ成分の両方をセンスする。また、ＷＢ  ＪＤ信号サンプルはＬＮＡ出力で取り出され、検出のためにＷＢ  ＪＤ  ＲＦ検出器および比較器に供給される。図８Ａ中のＷＢ  ＪＤ実現形態は自己ミキシングに基いている。ＷＢ  ＪＤ信号サンプルはＬＮＡ出力を引き出すことによって検知される。コンカレント信号を検知するためには、ＷＢ  ＪＤは出力でではなくＬＮＡ入力で取り出されることが可能である。なぜなら、ＷＢ  ＪＤによる検出のための十分な妨害信号電力が存在するからである。ＷＢ  ＪＤ実現形態の別の例はＲＦ電力検出器または他の検出方法を使用する。当業者は、ＷＢ  ＪＤの他の実現形態が本開示の思想および範囲に影響することなく使用されてもよいことを理解するだろう。
【００５１】
図８Ｂは、妨害信号検出器（ＪＤ）の例示的な状態図を図示している。無線周波数集積回路（ＲＦＩＣ）は両方のハードウェアＪＤを含んでおり、受信帯域幅中の狭帯域または広帯域妨害信号のいずれかの存在をそれぞれ示すために、ディジタル信号プロセッサ（ＤＳＰ）に割込み信号（ＮＢ  ＪＤおよびＷＢ  ＪＤ）を提供する。反対に、ＤＳＰは、ＪＤ割込信号を随意的にマスクするために、ＪＤに割込みマスク信号を提供する。さらに、例として、移動局モデム（ＭＳＭ）（これは３つの無線技術、グローバル移動体通信システム（ＧＳＭ）、符号分割多元接続（ＣＤＭＡ）、およびユニバーサル・モバイル・テレコミュニケーション・システム（ＵＭＴＳ）と互換性を有している）は、ソフトウェア・ベースのＪＤに基づいて第３の割込み信号を提供する。
【００５２】
図９Ａは、受信器帯域幅（帯域Ｂ）中の妨害信号の検出を拡張するための例示的実現形態を図示している。ＮＢ  ＪＤ検出性能は、帯域Ｂの範囲を広げることによって拡張されることが可能である。図９Ａに示されている実現形態は、ＮＢ  ＪＤ帯域幅を超える妨害信号を検知する。支援検出器（ＷＢ  ＪＤ）は、アナログ・ベースバンド（ＡＢＢ）部で帯域Ｂをカバーする。一例では、ＮＢ  ＪＤが３６ＭＨｚをカバーする場合、ＡＢＢ部中のＷＢ  ＪＤは３６ＭＨｚを超える周波数を有する妨害信号を通す高域フィルタを含んでいる。ＷＢ  ＪＤ  ９２０およびＮＢ  ＪＤ  ９１０の両方を実施することによって、妨害信号検出器は帯域Ａおよび帯域Ｂの両方をカバーする。したがって、相互変調範囲保護は拡張される。等式（１）ｆ０＝２ｆ１−ｆ２に従ってｆ０に帰する相互変調積を形成し得る帯域Ｂ中に周波数が存在するからである。また、ＡＢＢ部での検出および妨害信号源の解決（resolution）が達成される。ＷＢ  ＪＤおよびＮＢ  ＪＤを実施することは１つのＪＤに対して有利である。別の例では、ＡＢＢ部中のＷＢ  ＪＤは全ＩＦ帯をカバーするように使用される。その結果、ＷＢ  ＪＤ構成要素およびＮＢ  ＪＤ構成要素を具備する妨害信号検出器は、利得圧縮および相互変調劣化からのより広い保護を達成する。ＷＢ  ＪＤ  ９２０およびＮＢ  ＪＤ  ９１０からのＪＤ割込み信号は割り込み論理モジュール９３０に結合され得る。他の例では、ＡＢＢ中で２つのＪＤ、ＮＢ−ＪＤおよびＷＢ  −ＪＤを有することは、妨害信号閾値および検出最適化についてのさらなる自由度を提供する。ＡＢＢ中で２つのＪＤを有するとともにＲＦ部中でＷＢ−ＪＤを有することは、妨害信号に対するさらに広くより柔軟な保護を提供する。例として、ＩＭＲ３（３次相互変調）に対する保護は、利得圧縮と比べて異なる閾値を必要とするであろう。１つの閾値は遠方妨害信号に、もう１つは至近妨害信号に関連付けられることが可能だからである。したがって、２つの閾値は、妨害信号のタイプおよび影響に関するより高い解決をもたらすだろう。このことは、１つの閾値を有する１つのＪＤを使用することと比べて、モード１でいる時間を最大限にするだろう。
【００５３】
一例では、図７Ｂ、図８、および図９に示されている妨害信号検出器は、広帯域妨害信号の存在を示すために広帯域（ＷＢ）割込み信号を生成するための広帯域妨害信号検出器構成要素と、狭帯域妨害信号の存在を示すために狭帯域（ＮＢ）割込み信号を生成するための狭帯域妨害信号検出器構成要素と、ＷＢ割込み信号およびＮＢ割込み信号の少なくとも１つに基づいて複合割込み信号を生成するための割り込み論理モジュールと、を具備する。一側面では、ＷＢ割込み信号は状態信号を含んでいる。別の側面では、ＮＢ割込み信号は状態信号を含んでいる。一例では、複合割込み信号は電力消費のために使用され、随意的にこの電力消費はアナログ・ベースバンド低域フィルタ（ＡＢＢ  ＬＰＦ）によるものである。
【００５４】
図９Ｂ〜図９Ｄは、本開示に従った受信器実現形態の例を図示している。一側面では、受信器はモード２動作を強化し、他方、受信器は、図９Ｂに示されているモード２のＬＮＡ経路にノッチ・フィルタ９４０を取り込むことによってコンカレント送信器から感度を減じられている（desensitize）。ノッチ・フィルタ９４０は、さらに、コンカレント送信器の受信器への電力漏れを退ける。そのような電力漏れは、次の周波数において受信帯域以内に入るスプリアス積を引き起し得る。
【００５５】
ｆＡＢＢ＝５ｆＬＯ−３ｆｃｏｎｃｕｒｒｅｎｔ
ｆＡＢＢ＝３ｆＬＯ−２ｆｃｏｎｃｕｒｒｅｎｔ
また、ノッチ・フィルタ９４０は、混変調、高い３次相互変調率（ＩＭＲ３）、および利得圧縮のような他の望ましくない影響を緩和する。一例では、ノッチ・フィルタは、コンカレント送信漏れの除去を最適化するためにその中心周波数において調整可能である。周波数領域においていくつかのノッチが実施されてマルチコム（MultiCom）無線中の様々なコンカレント送信器信号を除去することが可能である。あるいは、これらのノッチは、図９Ｃに示されているように、高感度（すなわち低ノイズ指数）および低線形性の例として受信器がモード１において動作している場合に、周波数応答を改善するためにバイパスされることが可能である。一例では、これらのノッチは、モード１中で常に使用されるＧ０利得状態の利得およびノイズ指数性能を減じないように利得状態Ｇ１以上についてのみ実施されることが可能である。別の例では、ノッチは、図９Ｄに図示されているように、モード１中で低いコンカレント送信電力レベルを緩和するためにＧ０状態においても使用されることが可能である。したがって、ノッチを、モード１の２つのサブケースにおいて使用することが可能である。一側面では、以下のノッチ・フィルタ使用法シナリオが起こり得る。
【００５６】
・非コンカレント送信については、ノッチはモード１またはモード２中でバイパスされる
・非常に低いコンカレント送信については、ノッチはモード１またはモード２中でバイパスされる
・許容可能なコンカレント送信については、ノッチはＧ０状態において使用され、受信器はモード１にとどまる
・強いコンカレント送信については、ノッチはＧ１状態において使用され、受信器はモード２にとどまる
・中程度のコンカレント送信については、ノッチはＧ１状態において使用されず、受信器はモード２にとどまる
別の例では、ＲＦノッチ・フィルタは、、モード２ケースでのみ実施される。一例では、ＳＷ−ＪＤがコンカレント送信活動を検出すると、ノッチ・フィルタは活性化される。別の例では、十分な帯域幅を有するＨＷ−ＪＤは、コンカレント送信動作を検出し、ノッチ・フィルタを活性化することが可能である。ＳＷ−ＪＤは、下りリンク上のコンカレント送信を監視し、強い干渉波が受信されるとノッチを活性化することを決定し得る。一例では、強い干渉波は所定値を超える干渉波として定義される。当業者は、所定値が、本開示の範囲や思想を制限することなく、多くの要素に基づき得ることを理解するだろう。別の例では、ノッチは、ＳＷ−ＪＤまたはＷＢ−ＪＤからの通知無しでモード２で永続的に実施され得る。
【００５７】
図１０Ａは、妨害信号検出器レジスタへの割込み源および状態報告の例を図示している。ＮＢ  ＪＤは、妨害信号を検出するのに制限された帯域幅を有する。ＷＢ  ＪＤは、帯域Ｂおよび帯域Ｃの範囲をサポートするために、さらなる妨害信号検出器として使用される。一例では、ＮＢ  ＪＤおよびＷＢ  ＪＤのための閾値の設定は、単一配線シリアル・インターフェース（single-wire serial interface）（ＳＳＢＩ）バスによって実行されることが可能である。割り込みはファスト・アタック工程のための妨害信号報告を生成し得る。ＳＳＢＩ状態読み出しは、図１０Ａに描かれているように、ポーリング中にスロー・リリース状態読み出しのための妨害信号検知状態を生成し得る。図１０Ａは、JD1_Interrupt_Status（JD_Interrupt_Status）およびJD2_Interrupt_Statusについての例を示している。これらの状態信号は、例えば、リリースのための条件として、ＡＧＣ回路またはアルゴリズムによって使用される。これらの値はポーリング工程の間に読まれる。図１０Ｂは、より単純な妨害信号割り込み生成ツリー（tree）・ロジックを有する妨害信号検出器レジスタへの割込み源および状態報告の別の例を図示している。
【００５８】
ＮＢ  ＪＤは、例えば最大３６ＭＨｚ帯域幅の妨害信号を検出するための、制限のある帯域幅装置である。ＷＢ  ＪＤは帯域Ｂの範囲をサポートするための妨害信号検出器として使用される。妨害信号検出器は両方とも、妨害信号によって始動されると報告を行なう。図１０Ａおよび図１０Ｂは、ＮＢ  ＪＤおよびＷＢ  ＪＤの両方からの割り込み報告を図示している。妨害信号割り込みロジックは、柔軟性を高めるための２つのオプション（選択肢）をサポートしている。２つの割り込みが存在し、デフォルトの起動（wakeup）状態中での広帯域ＲＦ検出用の１つおよび狭帯域検出用の１つである。制御信号「Two interrupts」は、デフォルトの起動状態中、「１」に等しい。別のオプションは、ＯＲゲートによってＮＢ  ＪＤおよびＷＢ  ＲＦ  ＪＤの両方を結合して１つの妨害信号源を使用することである。制御信号「Two interrupts」は、この場合、「０」に等しい。「Two interrupts」制御信号はマスキング・ビットである。「１」のデフォルト状態では、この制御信号はＷＢ  ＪＤ割り込みをＷＢ  ＪＤ割り込みポートへ伝達し、また、ＷＢ  ＪＤ割り込みが両方の割り込みを１つの出力へと加えるＯＲゲートに達することを遮る。「Two interrupts」制御信号が「０」に等しい場合、この制御信号はＪＤ２割り込みポートを遮るとともにＷＢ  ＪＤ割込みの伝播を可能にしてＮＢ−ＪＤ割り込みとともにＯＲされて１つのＪＤ割り込みを形成する。
【００５９】
図１１Ａは例示的なＮＢ  ＪＤおよびＷＢ  ＪＤからの割り込み報告および状態生成を図示している。図１１Ａ中の例において図示されているように、ロジックは柔軟性を高めるために２つのオプションをサポートする。ａ）２割込み、１つはＮＢ  ＪＤ用であり、１つはＷＢ  ＪＤ用であり（これは一例ではデフォルトの起動状態である）、「１」に等しい２割込み制御ビットによって制御される。ｂ）ＯＲゲートを使用してＮＢ  ＪＤおよびＷＢ  ＪＤの両方を結合させる１つの割込み源であり、「０」に等しい２割込み制御ビットによって制御される。２割込み制御ビットは、割込み源の数、１または２を定義するマスキング・ビットである。「１」のデフォルト状態では、２割込み制御ビットは、ＷＢ  ＪＤ割り込みをWB-JD_INT_Output割り込みポートへ伝達し、また、ＷＢ  ＪＤ割り込みが両方の割り込みを１つの出力へと加わるＯＲゲートに達することを遮る。２割込み制御ビットが場合「０」に等しい場合、２割込み制御ビットはWB-JD_INT_Output割り込みポートを遮るとともにＷＢ  ＪＤが伝播してＮＢ  ＪＤとともに１つのＪＤ割り込みへとＯＲされることを可能にする。２割込み制御ビットは、２つの割り込みの間の動作モードを定義する。１つはＮＢ  ＪＤ用であるとともに１つはＷＢ  ＪＤ用であるか、２つの割り込みを１つの割り込みへ結合する１割込み用である。
【００６０】
図１１Ａは、４つのセット・リセット（ＳＲ）フリップフロップが割り込みのＪＤ報告の状態を格納する例を示している。フリップフロップの数は最小化されることが可能であり、また、ロジックは修正されることが可能である。フリップフロップの目的は、柔軟性を高めて、ＪＤ報告ロジックのためのより多くのデバッグ・オプションを提供することである。ＮＢ  ＪＤは専用のＳＲ  ＦＦのセット（Ｓ）入力においてNB-JD_INTを生成する。そのＦＦの出力は「NB-JD_INT_Status」という名の状態である。この信号は、ＮＢ  ＪＤに由来し、また、割り込みを生成するためにも使用される。このオプションは、１つの割込みソースで動作する場合、有用である。同様に、ＷＢ  ＪＤは専用のＳＲ  ＦＦのセット（Ｓ）入力においてWB-JD_INTを生成する。そのＦＦの出力は「WB-JD_INT_Status」という名の状態である。この信号は、ＷＢ  ＪＤに由来し、また、割り込みを生成するためにも使用される。このオプションは、１つの割込みソースで動作する場合、有用である。両状態信号の伝播はＡＮＤゲートを使用して個々に遮られることが可能である。ＮＢ  ＪＤ状態（「JD1_INT_Status」）は「Mask NB-JD」によって遮られ、ＷＢ  ＪＤ状態は「Mask-WB-JD」によって遮られる。該２つのＡＮＤゲートの出力は割込み信号伝播である。ＮＢ  ＪＤ信号はNB-JD_INT_Outであり、ＷＢ＿ＪＤ信号はWB-JD_INT_Outである。２割り込みモードがイネーブルにされている場合、「Two Interrupts」制御ビットは「１」に等しく、「WB-JD_INT_Out」はさらなるＡＮＤゲートを介して第２のＳＲ  ＦＦにルーティングされる。そのＡＮＤゲートの出力は「JD2_Interrupt」と名付けられており、それは、第２の専用ＳＲ−ＦＦのセット入力に供給される。その専用ＦＦの出力は、「WB-JD_INT_Output_Status」と名付けられたＷＢ＿ＪＤの割り込み状態である。その割り込み状態はＡＮＤゲートを通過し、「WB-JD_INT_Output」と名付けられた割込み信号になる。その割り込みは、「WB-JD_INT_EN」と名付けられたマスキング制御ビットによってリリース時に行われるポーリング工程の間、独立してマスクされる。NB-JD_INT_Outと名付けられたＮＢ  ＪＤ信号はＯＲゲートにルーティングされる。２割込モードの場合、すなわち「Two Interrupts」制御ビットが「１」に等しい場合、ＯＲゲートの第２入力は「０」である。結果として、専用ＳＲ  ＦＦのセット入力（Ｓ）に供給される「JD interrput」と名付けられたＯＲゲートの出力は、ＮＢ  ＪＤ割込み源を表わしている。「NB-JD_INT_Output_Status」と名付けられたそのＳＲ  ＦＦの出力は、ＮＢ＿ＪＤのためのＮＢ＿ＪＤ状態ビットおよび割込み源として機能する。「NB-JD_INT_Output_Status」はＡＮＤゲートに供給され、「NB-JD_INT_Output」または「JD_Interrupt_Ouput」と名付けられた割込み信号を生成する。この割込み信号は、ポーリング工程およびリリース時の間、「NB-JD_INT_EN」によって独立してマスクされることが可能である。「NB-JD_INT_Output_Status」または「JD_INT_Output_Status」信号は、リリース時の間のポーリング工程においてＮＢ  ＪＤ状態ビットとしても使用される。４つのマスク・オプションは、割込み源についてのデバッグ・オプションおよびさらなる解決を加える。しかしながら、それらのオプションは、ロジックおよび信号を省くために２つの出力ＳＲ−ＦＦおよび２つの出力ＡＮＤゲートをやめることによって最小化されることが可能である。
【００６１】
１割り込みで動作している場合、４つのＳＲ−ＦＦを使用することは状態の読み取りを保存し、適用形態に依存してどの状態が読まれるべきかの選択をもたらす。１読み取りが要求されている場合、NB-JD_INT_Output_Statusと名付けられた出力ＳＲ−ＦＦ状態が読み取られる。割り込み源が要求されている場合、NB-JD_INT_StatusまたはWB-JD_INT-Statusが読み取られる。２つのＳＲ−ＦＦ（各ＪＤについて１つ）しか有さないことは、２つのＪＤ状態ビットを読み取ることを必要とするだろう。１つはＮＢ  ＪＤ用であり、もう１つはリリース時に起こるポーリング工程の間の１割込み構成または２割込み構成のいずれかのためのＷＢ  ＪＤ用である。
【００６２】
例として、リセットを保存するために、全てのＳＲ−ＦＦは、「INT_CLEAR」と名付けられた割込みおよび状態ビットをクリアするための１つの制御ビットによってリセットされる。ＳＲ−ＦＦのリセット入力に印加されている「INT_CLEAR」信号は、ＳＲ−ＦＦのセット入力に対して優先する。INT_CLEARは、ディジタル・ベースバンド側上のＡＧＣおよびＪＤを管理するディジタル信号プロセッサ、汎用プロセッサ、またはハードウェアによって実行される。
【００６３】
一側面では、さらなるセット・リセットフリップフロップ（ＳＲ  ＦＦ）が、ＷＢ  ＪＤからの割込み状態についての状態ビットを維持するために加えられる。１割込みでは、２割込み制御ビットは「０」である。割り込みが起動モード中にリセットされた後、ＪＤ２の状態（WB-JD_INT_Output_Status）および割り込み（WB-JD_INT_Output）報告の両方の出力は、永続的に「０」である。ＪＤ２割込みオプション用に何の用途もないからである。一側面では、それは２割り込み用にプログラムされることが可能である。一側面では、割り込みおよび状態の数は妨害を行なう源の解決および識別を増やすために実施される妨害信号検出器構成要素（ＷＢ  ＪＤ、ＮＢ  ＪＤなど）の数と等しいように拡張される。一例では、割込みの論理的有効化は、割込み事象の源、それが近い妨害信号であるか遠い妨害信号であるか、検出源がＮＢ  ＪＤであるかＷＢ  ＪＤであるかを通知するために状態レジスタ専用ビットへ状態報告を提供する。提供される情報は、診断およびデバッグにとって有用である。図１１Ｂは、２つのセット・リセット・フリップフロップ（ＳＲ  ＦＦ）のみを使用する、より単純な妨害信号割込み生成ロジックを伴ったＮＢ  ＪＤ（NB-JD_INT_Status）およびＷＢ  ＪＤ（WB-JD_INT_Status）からの別の例示的割込みおよび状況報告を図示している。
【００６４】
ＳＲ  ＦＦ（セット・リセット・フリップフロップ）はＷＢ  ＪＤおよびＮＢ  ＪＤの割込み状態についての状態ビットを保持するために使用される。１割込み動作モードの場合、WB-JD_INT_Output信号は遮られるが、割込み源はＷＢ  ＪＤの状態ビットをポーリングすることによって検出される。この割込みおよび状態は、それらがプロセッサによって「０」にリセットされるまで、ハイであり続ける。どの割込みの論理的有効化も、割込み源、至近妨害信号であるか遠方妨害信号であるか、および検出源がＮＢ  ＪＤであるかＷＢ  ＲＦ検出器ＪＤであるかを通知するために状態レジスタ専用ビットへの状態報告を提供する。これは診断およびデバッグにとって有用である。図１０Ａおよび図１０Ｂは、ＪＤ状態レジスタのためソース（源）を図示している。この図は「フリップフロップ」（ＦＦ）を描いていないが、報告の概念を図示している。
【００６５】
一側面では、図１０Ａおよび図１０Ｂは、「フリップフロップ」（ＦＦ）（図示せず）の実施を伴った妨害信号検出器レジスタへの割込み源および状態報告を図示している。図１０Ａ、図１０Ｂ、図１１Ａ、図１１Ｂに示されている割込み源およびそれぞれの記述の例示的リストは以下の通りである。
【００６６】
１．JDC1_Close J：ＮＢ−ＪＤ遠方妨害信号カウンタ報告（状態）（図１０Ａおよび図１０Ｂ）は、それが隣接チャネル（すなわちＮ±１）を検出した場合、さらなるＮＢ−ＪＤ解決を提供する。
【００６７】
２．JDC2_Close J：ＮＢ−ＪＤ至近妨害信号カウンタ報告（状態）（図１０Ａおよび図１０Ｂ）は、それが隣接チャネル（すなわち、Ｎ±２またはそれ以上）を検出した場合、さらなるＮＢ−ＪＤ解決を提供する。
【００６８】
３．NB-JD_INT_Status：ＳＳＢＩレジスタに格納される、ポーリングのためのＮＢ−ＪＤ割込み報告状態（図１０Ｂおよび図１１Ｂ）。
【００６９】
４．WB-JD_INT_Status：ＳＳＢＩレジスタに格納される、ポーリングのためのＷＢ−ＪＤ割込み報告状態（図１０Ｂおよび図１１Ｂ）。
【００７０】
５．NB-JD_INT_Output：ＧＰＩＯを介したＢＢへのＮＢ−ＪＤ割込み報告（図１０Ｂおよび図１１Ｂ）
６．WB-JD_INT_Output：ＧＰＩＯを介したＢＢへのＷＢ−ＪＤ割込み報告（図１０Ｂおよび図１１Ｂ）
７．Interrpt(WB-JD)：ＷＢ−ＪＤ検出器ブロック出力（図１１Ｂ）
８．Interrpt(NB-JD)：ＮＢ−ＪＤ検出器ブロック出力（図１１Ｂ）
９．WB-JD_INT_EN：ＷＢ−ＪＤ割込みマスキング（ＤＳＰへの汎用割込みマスク、これは状態報告は遮らないが、ＤＳＰに知らせるための割込みを防ぎ、それがマスク解除される（unmask）まで、それを「０」にする）（図１０Ｂおよび図１１Ｂ）
１０．NB-JD_INT_EN：ＮＢ割込みマスキング（ＤＳＰへの汎用割込みマスク、これは状態報告は遮らないが、ＤＳＰに知らせるための割込みを防ぎ、それがマスク解除されるまで、それを「０」にする）（図１０Ｂおよび図１１Ｂ）
１１．Two_Interrupts：制御ビットは、２割込みＧＰＩＯ活動をイネーブルにし、「１」に設定されていればＮＢ  ＪＤ用に１つでＷＢ  ＲＦ  ＪＤ用に１つであり、「０」に設定されていれば、ＮＢ−ＪＤおよびＷＢ−ＪＤ割込みは両方とも、ＮＢ−ＪＤ割込みポートを通過する（NB-JD_INT_Output）（図１０Ｂおよび図１１Ｂ、図１０Ａおよび図１０Ｂ）
１２．INT_CLEAR：全ての割り込みをリセットし、割り込み状態ビットをリセットすることはセット割込みに対して優先する（図１１Ａおよび図１１Ｂ）
１３．JDC1_CLEAR：ＮＢ至近状態ビットをクリアする（図１１Ａおよび図１１Ｂ）
１４．JDC2_CLEAR：ＮＢ遠方状態ビットをクリアする（図１１Ａおよび図１１Ｂ）。
【００７１】
デバッギング・オプション用に割込みに対する２つのマスク、ＮＢ  ＪＤ用の１つおよびＷＢ  ＪＤ用の１つが存在する。プロセッサが割込み（NB-JD_INT_OutputおよびWB-JD_INT_Output）をマスクしている場合、JD_Interrupt_Output_Maskは「０」である。図１０Ａ、図１１Ｂに示されている例としてMask_WB-JD_INTおよびMask_NB-JD_INTの２つのラインは、常に「１」にあり、またデバッグ目的で使用される。
【００７２】
一側面では、妨害信号検出器はハードウェア実現形態に加えて他の実現形態によって実施される。本開示に従って妨害信号検出器の機能を実行するための他の実現可能な実施の例が下に列挙されている。
【００７３】
１）ハードウェア
・妨害信号検出は、ＷＢ  ＪＤ、ＮＢ  ＪＤ、または他のハードウェア妨害信号検出器タイプのような専用ハードウェアに基づいている。
【００７４】
２）モデム
・サービスの質メーター（例えばビット誤り率（ＢＥＲ）、ＶＢＥＲ、ＭＦＥＲ）としてモデムを使用する。一例では、モデムは受信器の一部である。
【００７５】
３）コンカレンシー（concurrency）
・送信イベントの演繹的な（a priori）情報（例えば電力レベル）を使用するとともに帯域ＣをカバーするためにＳＷ  ＪＤ報告システムを形成する。
【００７６】
４）掃引モード
・チャネルを掃引（sweep）するためおよびエネルギー測定を実行するためにスリープ時間を使用する。  
−起動に先立って、受信器は、全ての帯域のＲＦ掃引を実行し、また各周波数チャネルのエネルギーを測定する。  
−測定に基づいて、受信器のモードが決定される。
【００７７】
当業者は、妨害信号検出器が下に列挙されている例または例の組合せに制限されておらず、他の実現可能な実現形態が本開示の思想および範囲に影響することなく使用されてもよいことを理解するだろう。図１２は、帯域内至近妨害信号、遠方妨害信号、コンカレント動作による妨害信号の妨害信号検出のための組合せハードウェアおよびソフトウェア実現形態の例を図示している。
【００７８】
図１２中の例において、ソフトウェア実現形態はＷＢ  ＪＤハードウェアおよびＮＢ  ＪＤハードウェアと結合されている。一例では、妨害信号を検出するための無線通信ユニットは、様々な適用形態用の送信器および受信器を具備する。また、無線通信ユニットは、帯域内妨害信号を検出するための狭帯域妨害信号検出器ハードウェア、帯域外および遠方妨害信号を検出するための広帯域妨害信号検出器ハードウェア、および周波数マッピングの我々の例中の帯域Ｃ中で動作する１または複数の送信器からのコンカレント動作妨害信号を検出するためのソフトウェア・ベースの妨害信号検出器を具備する。コンカレント動作妨害信号が検出されると、コンカレント動作妨害信号に関する通知が生成され、受信器にコンカレント動作妨害信号を通知するために受信器へ送信される。
【００７９】
別の側面では、妨害信号検出器は複数通信（multi-communiction）ユニット（「マルチコム・ユニット」）中で実施される。一側面では、マルチコム・ユニットは様々な適用形態上で動作可能な受信および送信プラットフォームを含んでいる。マルチコム・ユニットの一例は様々な適用形態上で動作可能なマルチコム無線携帯電話である。別の例では、マルチコム無線携帯電話は、様々な適用形態を満たすために複数のインデグレーション（integration、統合）・レベルを有する。図１３Ａは、マルチコム無線携帯電話の例を、複数の受信器、トランシーバ、接続技術および高、中、低アタッチ・レート（attach rate）の複数のインデグレーション・レベルを図示している。
【００８０】
図１３Ａに示されている例において、マルチコム無線携帯電話は、複数の無線方式および複数の専用アンテナを、それらを同時に共存しながら動作するための能力とともに、含んでいる。無線方式は以下のように分類され得る。
【００８１】
１．高アタッチ・レート
・Ｂｌｕｅｔｏｏｔｈ（登録商標）
２．中アタッチ・レート
・全地球測位システム（ＧＰＳ）
・ＦＭ電波
・ＷｉＦｉ（ワイヤレス・フィデリティー）
モバイル・テレビ（ディジタル・ビデオ放送（ＤＶＢ））
３．低アタッチ・レート
・無線ＵＳＢ（超広帯域（ＵＷＢ））
・ＮＦＣ（ニア・フィールド（Near Field）通信、無線周波数識別（ＲＦＩＤ）技術）
一側面では、図１３Ａに描かれているマルチコム無線携帯電話は３つの例示的インデグレーション・アーキテクチャのうちのいずれか１つを使用して実施される。
【００８２】
ａ）本実現形態中で使用されるリソース（アンテナ、ＲＦ、モデム、プロトコル）の再使用および共有のない垂直的インテグレーション
ｂ）リソースの共用なしの例えば感度減少（desensitization）保護を有する従来のデザイン中で使用される並列的共存
ｃ）再使用による共有リソース（すなわち、この発明で提案されている垂直的および水平的インテグレーション）
典型的には、マルチコム無線携帯電話中に統合されている機能的活動は共用されない。あるいは、共有リソースが、一例では、図１Ａに示されている組み合わせられたソフトウェアおよびハードウェア実現形態の妨害信号検出器に全ての送信活動を転送するように形成される。
【００８３】
図１３Ａの一実現形態は、妨害信号検出のための無線通信ユニットであって、複数の適用形態の少なくとも１つのための複数の受信器と、複数の適用形態の少なくとも１つのための複数の送信器と、広帯域妨害信号の存在を示すために広帯域（ＷＢ）割込み信号を生成するための広帯域妨害信号検出器と、狭帯域妨害信号の存在を示すために狭帯域（ＮＢ）割込み信号を生成するための狭帯域妨害信号検出器と、ＷＢ割込み信号およびＮＢ割込み信号の少なくとも１つに基づいて複合割込み信号を生成するための割込み論理モジュールと、複数の送信器のうちの１つからのコンカレント動作妨害信号を検出するためのソフトウェア・ベースの妨害信号検出器と、複数の受信器の少なくとも１つへコンカレント動作妨害信号の通知を送信するための中央ソフトウェア・ベース機構と、を具備する。当業者は、一側面では、中央ソフトウェア・ベース機構が無線通信ユニット中のプロセッサであることを理解するだろう。例えば、中央ソフトウェア・ベース機構は、一実現形態中のＳＷ  ＪＤ掲示板（bulletin board）１３３０の一部であり得る。
【００８４】
図１３Ｂは、ＮＢ  ＪＤ  １３８０およびＷＢ  ＪＤ  １３９０の組合せを含むハードウェアＪＤをコンカレント動作をカバーするためのソフトウェアＪＤ  １３３０とともに図示している。例えば、ソフトウェアＪＤは、掲示板１３６０に、セルラ・ソース１３５０ａ（例えばＧＳＭ、ＷＣＤＭＡ、ＬＴＥなど）、ＷｉＦｉ  １３５０ｂ（ＩＥＥＥ８０２．１１）、およびＢｌｕｅｔｏｏｔｈ（登録商標）からの演繹的なコンカレント送信情報１３５０ｃを記入および報告する。また、図１３ＢはＧＰＳ信号またはテレビ信号を受信するための例としてＧＰＳ  Ｒｘ  １３４０ｂおよびテレビ受信器１３４０ａを図示している。図１３Ｂに示されているように、テレビ受信器１３４０ａ、ＮＢ  ＪＤ  １３８０、およびＷＢ  ＪＤ  １３９０は、無線周波数集積回路（ＲＦＩＣ）１３９５上で実施されている。受信器は、自身を高線形性モードへ移すことによって保護される。ハードウェアＪＤは、ＷＢ  ＪＤおよび至近妨害信号およびＮＢ  ＪＤによって遠方妨害信号（コンカレントおよびオフエアの両方）の速いリアル・タイム妨害信号検出をもたらす。ハードウェアＪＤは、受信器をファスト・アタック・アルゴリズムを有する高線形性モードへ移すことによって受信器を保護する割り込みを生成する。妨害信号が全て消えるとともに全ての報告が妨害信号が存在しないことを示した後、受信器はスロー・リリース・アルゴリズムを有する高感度モードへ戻される。
【００８５】
一側面では、ソフトウェア・ベースの妨害信号検出器２３０および１３３０は、マルチコム・ユニットの電力消費を監視するための共存管理ユニットを含んでいる。共存管理ユニットは、随意的に、電源消費の現在ログを提供することが可能である。一側面では、共存管理ユニットは、予測される送信を通知することによって、または受信器についてのサイレンスを計画することによって受信器の動作を管理する。また、一例では、共存管理ユニットは、ＧＰＳ位置に基づいてスペクトル、ＲＦレベル、または送信レベルの少なくとも１つをマッピングする。一例では、ソフトウェア・ベース妨害信号検出器は受信器中の構成要素である。
【００８６】
一側面では、ソフトウェア・ベース妨害信号検出器は相違するミキサ・タイプを選択する。例えば、相違するミキサ・タイプは、シングルエンド型レジスティブ・ミキサ（ＳＲＭ）および高調波除去ミキサ（ＨＲＭ）を具備する。一例では、この相違するミキサ・タイプは、ＬＮＡミキサ７５０（図７Ｂに示されている）内にある。
【００８７】
一側面では、妨害信号検出器は電力消費最適化のために使用される。例えば、以下のステップは、妨害信号検出器状態に基づいてＬＮＡ動作点を最適化することおよびバイアスすることを例示している。
【００８８】
１．妨害信号が検出されると、ＬＮＡバイアス点は、ノイズ指数（ＮＦ）を犠牲にして３次インターセプト・ポイント（ＩＰ３）性能および１ｄＢ圧縮点（Ｐ１ｄＢ）を改善するために強化され得る。
【００８９】
２．弱い妨害信号が存在する場合、ＬＮＡバイアス点はＩＰ３およびＰ１ｄＢの性能を犠牲にして低ＮＦに向けて最適化される。
【００９０】
３．妨害信号が存在しない場合、ＬＮＡバイアス点はより低い電流、より高い利得、およびより低いＮＦに向けて最適化される。
【００９１】
４．強い妨害信号が存在する場合、ＬＮＡバイアス点は、より高いＩＰ３およびＰ１ｄＢ性能に向けて最適化されるか、ＬＮＡはＧ１へ切り替わる。
【００９２】
当業者は、このように記述されているＬＮＡ動作点を最適化することおよびバイアスするためのステップが排他的ではないこと、およびその他のステップまたはその組合せが本開示の思想および範囲に影響することなく使用され得ることを理解するだろう。
【００９３】
別の例では、以下のステップは、アナログ・ベースバンド（ＡＢＢ）部濾波の最適化を例示している。
【００９４】
１．妨害信号検出器が妨害信号を報告しないか弱い妨害信号を報告した場合、受信器は、（例えば、バイパス回路を使用して）自身のフィルタ部の数を減らしてひいてはその挿入損を減じることによって、ＡＢＢ  ＬＰＦ除去を緩和する。結果として、利得段は全体的なＣ／Ｎ性能を依然保持しながら利得および電流消費を減じるように最適化される。
【００９５】
２．強い妨害信号が検出された場合、受信器は、不要信号を除去するために、ＡＢＢ  ＬＰＦをより高い除去によって最適化する。
【００９６】
当業者は、このように記述されているアナログ・ベースバンド（ＡＢＢ）部濾波を最適化するためのステップが排他的でないこと、および他のステップまたはその組合せが本開示の思想および範囲に影響することなく使用され得ることを理解するだろう。
【００９７】
別の例では、受信器は、ミキサ・タイプを最適化するように、妨害信号検出器標識（indication）および妨害信号のタイプに基づいて、通常のミキサ（ＳＲＭ）と高調波ミキサ（ＨＲＭ）との間で切り替える。
【００９８】
図１３Ｃは、コンカレント無線方式が動作している場合の干渉波シナリオ、および１つのシステムによる送信器が別のシステムの受信器へスプリアス信号を結合することの例を図示している。一例では、ＳＷ  ＪＤは、２つのシステムの無線動作がコンカレントになることを前もって割り出し、先を見越して受信器ハードウェア経路を保護する。一側面では、ＬＮＡ経路は改善された線形性を提供するためにモード２として選択されている。別の側面では、特定のスプリアス積からの保護を改善するために、受信器ミキサは、シングルエンド型レジスティブ・ミキサ（ＳＲＭ）から高調波除去ミキサ（ＨＲＭ）へ切り替えられる。例えば、受信器は、ＲＦ信号の３次高調波が局部発振器（ＬＯ）信号の５次高調波と混合したことに起因するスプリアス積（すなわち３ＲＦ−５ＬＯ積）、およびＲＦ信号の２次高調波がＬＯ信号の３次高調波と混合したことに起因するスプリアス積（すなわち２ＲＦ−３ＬＯ積）に対して保護をする。このステップは、概してより良い線形性をもたらすために受信器３次インターセプト・ポイント（ＩＰ３）および２次インターセプト・ポイント（ＩＰ２）を改善する。
【００９９】
別の例では、以下のステップは、ミキサ・バイアス点の最適化を例示している。
【０１００】
１．妨害信号検出器が妨害信号を報告しないか弱い妨害信号を報告した場合、受信器はミキサ電流を緩和し、より少ないバッテリ電力を消費する。
【０１０１】
２．強い妨害信号が検出された場合、受信器は、２次インターセプト・ポイント（ＩＰ２）による直流漏れを補償するとともに３次インターセプト・ポイント（ＩＰ３）および利得圧縮点を改善するためにミキサ電流を最適化する。
【０１０２】
３．ＪＤが妨害信号を報告しない場合、ＬＯ電力はＳＲＭミキサに調整される。
【０１０３】
４．ＪＤが妨害信号について報告する場合、ＬＯ電力はＨＲＭのミキサに調整される。
【０１０４】
当業者は、このように記述されているミキサ・バイアス点を最適化するためのステップが排他的でないこと、および他のステップまたはその組合せが本開示の思想および範囲に影響することなく使用され得ることを理解するだろう。
【０１０５】
図１４Ａおよび図１４Ｂは、ＲＦ電力対妨害信号電圧の関係の２つの例を図示している。図１４Ａおよび図１４Ｂには利得状態Ｇ０およびＧ１が示されており、Ｇ０からＧ１への利得状態遷移は切替え点Ｂによって示されている。図１４Ａは、不変の閾値についてのＲＦ電力対妨害信号電圧関係の例を図示している。図１４Ｂは、適応的な閾値についてのＲＦ電力対妨害信号電圧関係の例を図示している。妨害信号検出器はその利得状態の全体にわたって受信器を保護する。一側面では、適応的閾値は、妨害信号からのさらなる保護をもたらす。切替え点において妨害信号閾値の不変の設定を使用することは、利得状態全体を保護しない。切替え点において、希望信号および妨害信号レベルは最大レベルに達し得る。切替え点において利得状態全体についての妨害信号検出のための閾値を選択する場合、図１４Ａによって図示されているように、低電力での妨害信号検知閾値は高すぎであり、誤検出の可能性を増やすだろう。さらに、誤検出は、相互変調レベル、混変調レベル、および利得圧縮の増加に起因してＣ／Ｎ劣化につながる。一例では、誤検出を最小化するためには、利得状態をＧ０利得状態の、各々が相違する妨害信号検知閾値を有する部分集合に分割する。
【０１０６】
したがって、分割された利得状態／適応的閾値を有する妨害信号検出器は、その利得状態について定められている電源電圧範囲の全体にわたって受信器を保護し、誤検出可能性を減じ、Ｇ０利得状態にいることを最大限にする。適応的閾値を有する分割された利得状態は妨害信号歪みおよびＣ／Ｎ劣化への影響の受けやすさをもたらさずに、受信器感度を上げる。適応的閾値を使用することはＧ０利得状態要件を緩和する。図１４Ｂ中の点Ａでの検出のための参照レベルが低下して妨害信号対信号比率が図１４Ｂ中の点Ｂより高くなることを可能にしないからである。適応的閾値は、Ｇ１利得状態のような他の利得状態に適用可能である。
【０１０７】
一側面では、求められている（wanted）電力に基づいて、広帯域閾値は適応的である。別の側面では、求められている電力に基づいて、狭帯域閾値は適応的である。一例では、広帯域閾値または狭帯域閾値は自動閾値設定ロジック（図示せず）によってロードされる。自動閾値設定ロジックは、随意的に、無線周波数集積回路（ＲＦＩＣ）の利得状態に基づいている。
【０１０８】
別の側面では、ＷＢ  ＪＤおよびＮＢ  ＪＤ構成要素は既存のハードウェア・デザインを使用して実施される。一例では、ＮＢ  ＪＤ決定ロジックは、例えばＮ±１〜Ｎ±４についての妨害信号を特定するための容易にプログラム可能な状況を作るために、ディジタル低域フィルタとして使用される。ＮＢ  ＪＤの決定ロジックは広帯域妨害信号検出および狭帯域妨害信号検出の両方のために使用される。ＮＢ  ＪＤ決定ロジックは、多くの水晶発振器サイクルの所定のゲート内に統合することによって、妨害信号を推定する。この工程は合格／不合格閾値を定義する。一例では、合格／不合格閾値はディジタルであるとともにプログラム可能である。
【０１０９】
一側面では、ＷＤ  ＪＤは、受信されたエネルギーのＲＦ検出（自己混合、ＲＦ検出器など）に基づいている。ＷＤ  ＪＤは広帯域妨害信号継続時間に比例する電圧を報告する。例えば、ＷＢ  ＪＤをＮＢ  ＪＤと統合することは以下の注意事項に基づいている
１．帯域ＣおよびＢ妨害信号強度に比例する時間ゲーティング（gating）信号を形成すること
２．図１５および図１６によって図示されているようにカウンタ・クロックに対して適用されるＡＮＤゲートを用いて時間ゲーティング信号継続時間に基づいてカウンタ・クロックをイネーブルにすること
３．ＮＢ  ＪＤでのようなディジタル・インテグレーション閾値を定めること
・インテグレーション閾値に達することは、妨害信号エネルギーおよび継続時間に比例するゲートが「１」に等しい期間に依存する
・ディジタル・インテグレーション閾値に達することは、割込みを生成する。
【０１１０】
省電力工程は、コンカレント送信活動または送信終了に関するＪＤ情報の同じソース（源）を共用している複数の受信器上で実施されることが可能である。このコンカレント活動ＪＤ情報共有アプローチは、我々の発明で提案されている水平的インテグレーション・アプローチの１つの側面である。
【０１１１】
図１５は、ＷＢ  ＪＤをサポートするためにＮＢ  ＪＤロジックを修正するための例を図示している。図１５に示されているように、ＮＢ  ＪＤは妨害信号検出のための２つのロジック回路（論理回路）を含んでいる。ＮＢ  ＪＤ中の第１ロジック回路は狭帯域妨害信号検出のために使用される。ＮＢ  ＪＤ中の第２ロジック回路は広帯域妨害信号検出のために使用される。同様に、図１６は、ＷＢ  ＪＤおよびＮＢ  ＪＤをサポートするためにＮＢ  ＪＤロジックを修正するための例を図示している。
【０１１２】
一例では、受信器は、所定の利得状態に基づいて妨害信号検出器割込みを無視するとともに自動的に妨害信号検出器割込みをマスクするための機能を含んでいる。受信器ロジック・ブロックは、所定の利得状態を特定し、また、その所定の利得状態およびそれより上のあらゆる利得状態についての自動マスクを実施する。受信器の実際の利得状態は、ＡＧＣ回路、ロジック、またはアルゴリズムから利得状態コマンドを読むことによって得られる。利得状態コマンドは、受信器ロジック・ブロックに送信される。一側面では、妨害信号検出器割込みを無視するための２つの方法が存在する。
【０１１３】
１）マスクされる予定の利得状態についての妨害信号検出器割込みビットを自動的にマスクする
２）妨害信号検出器割込みビットをリセットするとともにこれを値０に維持する
一側面では、マスクされる予定の利得状態はプログラム可能である。自動マスキングは、例えば受信器ＲＦ部からのコマンドによって、受信器と関連している演算処理装置からのコマンドによって、または単一配線シリアル・バス・インターフェース（ＳＳＢＩ）あるいは他の任意のインターフェースを介して送信されたコマンドによって、活性化または非活性化されることが可能である。別の側面では、妨害信号検出器割込みへのマスクは、自動マスキングまたは通常動作のいずれかにおいて、受信器と関連している演算処理装置によって除去される。さらに、割込みマスキングは、受信器が妨害信号検出動作と関連しない利得状態にある間、妨害信号検出器ハードウェアをオフしてエネルギーを節約するようにさらに拡張されることが可能である。一側面では、妨害信号検出器の再活性化は、利得状態が所定の利得状態より１つ高いレベルになった際に自動的である。ＪＤはモード１またはモード２のいずれかであることを指している。
【０１１４】
一側面では、受信器は、論理的に有効な割込みおよび利得状態に基づいて妨害信号検知閾値をロードするための機能を取り込んでいる。利得状態は、受信器ロジック・ブロックへ送信された利得状態コマンドをＡＧＣ回路から読むことによって得られる。利得状態が妨害信号検出器が有効であるとともに割込みが「１」に設定されている利得状態に変わるように受信器に命令すると、受信器ロジック・ブロックは利得状態および割込みが「１」に等しいこと（すなわち、妨害信号が検出されたこと）に基づいて妨害信号検出閾値を自動的に設定する。利得状態が妨害信号検出活動の外側にあり、したがって無視されると、受信器ロジック・ブロックは自動更新を実行しない。妨害信号検出器割込みの自動マスクが存在する場合、受信器ロジック・ブロックは妨害信号検出器割込みを遮る。一例では、閾値をロードすることはポーリング工程およびスロー・リリース・アルゴリズムの一部である。例として、受信器がモード２（高線形性中程度感度）にある場合、受信器のＪＤはモード２についての閾値（閾値は、利得状態に基づいて決定される）を有する。モード１（高感度低ＮＦ）についての閾値は、ＪＤ割込み状態ビットのポーリング工程（これは解放時間の間継続する）の終わりに、読まれた全てのＪＤ状態ビットが「０」を示した場合のみ、プロセッサのような管理エンティティーによってロードされる。ＪＤ閾値は、モード２からモード１に移行する際に利得状態に基づいてロードされる。
【０１１５】
一側面では、マルチコム・ユニットは、様々な同時の適用形態、サービスおよび接続能力を提供するために様々なトランシーバおよび対となる受信器を含んでいる。コンカレント動作では、ある適用形態のために使用される受信器の感度は、表３に図示されているように、小サイズおよび高いインテグレーション・レベルおよび有限の分離に起因して、別の適用形態のために使用される送信器から同時送信によって影響され得る。受信器と干渉する送信器の組合せは例として表４に詳述されている。
【表３】
0005559171.tif 000004
【表４】
0005559171.tif 000005
【０１１６】
マルチコム・ユニットでの無線タイプは、例えば１６８ＭＨｚから２．７ＧＨｚまたは別の例においては５ＧＨｚ以内までと広い帯域幅上で動作する。この具体的な事例では、コンカレント動作を可能にするためのハードウェア・ベースＪＤの解決法は実際的ではない。干渉信号が受信される入力電力範囲を緩和するためには、約７０ｄＢの非常に広帯域および高ダイナミックレンジの検出器が必要である。表５は、他の共存無線タイプとのコンカレント動作を可能にするためのユニバーサル放送モデム（ＵＢＭ）ディジタルＴＶ受信器要件の例を要約している。表５は、あらゆるタイプの無線受信器にあてはまる、典型的な干渉波の性能への影響を表わしている。
【表５】
0005559171.tif 000006
【０１１７】
ＵＢＭ受信器は他の送信器とのコンカレント動作による以下の干渉波タイプに影響を受けやすい
１．ＵＢＭ受信器へ漏れる比較的高電力の様々な送信信号による利得圧縮。
【０１１８】
２．ＵＢＭ受信器への強い信号の漏れによって生成されるとともに希望信号と干渉する２次相互変調積。一例は、ＵＢＭ  ＵＨＦ広帯域受信器へ漏れ得るとともに２次相互変調積により性能を悪化させ得るＧＳＭ  ９００ＭＨｚ送信器である。
【０１１９】
３．隣接妨害信号のような他の帯域内妨害信号を変調するとともにその帯域幅を希望信号の帯域幅内まで広げる、ＵＢＭ受信器の入力での強い干渉信号の漏れによって生成された混変調積。
【０１２０】
４．強い送信信号の漏れは、また、ＵＢＭ受信器の局部発振器（ＬＯ）と混合されて、スプリアス・ベースバンド積を生成し、それによって希望信号と干渉し得る。
【０１２１】
表４は、他の送信器が使用されている間、高い線形性性能が受信器が強い干渉信号の影響を緩和することを可能にすることを図示している。強い干渉波を緩和するための１つの方法は、例えば、特定の周波数の特定のコンカレント送信器が活性化されていることおよびその電力レベルが所定の閾値を越えるていることを関連する受信器に通知することによるものである。通知は、受信器によって、線形性を強化するかまたはその動作モードを（例えば高感度モードから高線形性モードへ）変化させて、ひいてはコンカレントな妨害信号の存在下で受信器感度を保護するために利用されることが可能である。通知が受信器に提供されない場合、すなわち、コンカレント送信が無いか送信が所定の閾値未満である場合、他の受信器パラメータ、例えば感度または電力消費、は最適化されることが可能である。通知アプローチは、妨害信号環境に従った主要な受信器パラメータの最適化を可能にし、ひいては表４によって詳述されているように全体的な性能の改善をもたらす。一例では、通知は、全トランシーバの動作を調整する中央ソフトウェア・ベース機構によって生成される。別の例では、全受信器がコンカレント動作について通知されることが可能であり、表６によって詳述されているように感度減少を回避するために保護動作を取ることが可能である。同じ保護モードが、狭帯域および広帯域妨害信号検出器の両方によって活性化される。
【表６】
0005559171.tif 000007
【０１２２】
図１７は、妨害信号を検出するための例示的フローチャートを図示している。ブロック１７００において、入力信号を受信する。一例では、入力信号はＲＦ信号である。ブロック１７００に続くブロック１７１０において、入力信号をサンプリングしてサンプリングされた（被サンプリング）入力信号を得る。ブロック１７２０において、被サンプリング入力信号を広帯域妨害信号閾値ＴＨＷＢと比較する。当業者は、ＴＨＷＢの値が、本開示の思想および範囲への影響することなく様々な要素、例として（しかし制限されない）、システム適用形態、設計制約、および／またはユーザ選択に基づくことが可能であることを認識するだろう。一例では、ＴＨＷＢの値はメモリに格納されている。ブロック１７３０に進行する。ブロック１７３０において、ブロック１７２０からの広帯域（ＷＢ）比較結果に基づいて広帯域割込み信号（別名、ＷＢ割込み信号）を生成する。一例では、ＷＢ割込み信号は１つのビットである。ブロック１７３０に続いて、ブロック１７４０に進行する。
【０１２３】
並列の経路において、ブロック１７００からブロック１７０５に進行する。ブロック１７０５において、入力信号をダウンコンバートしてダウンコンバートされた（被ダウンコンバート）入力信号を生成する。ブロック１７０５に続いて、ブロック１７１５に進行する。ブロック１７１５において、被ダウンコンバート入力信号をサンプリングしてサンプリングされた（被サンプリング）被ダウンコンバート（ＳＤ）入力信号を生成する。ブロック１７２５において、ＳＤ入力信号を狭帯域妨害信号閾値ＴＨＮＢと比較し、ブロック１７３５に進行する。当業者は、ＴＨＮＢの値が、本開示の思想および範囲への影響することなく様々な要素、例として（しかし制限されない）、システム適用形態、設計制約、および／またはユーザ選択に基づくことが可能であることを認識するだろう。一例では、ＴＨＮＢの値はメモリに格納されている。ブロック１７３５において、ブロック１７２５からの狭帯域（ＮＢ）比較結果に基づいて狭帯域割込み信号（別名、ＮＢ割込み信号）を生成する。一例では、ＮＢ割込み信号は１つのビットである。一例では、狭帯域は、入力信号を受信する受信器の帯域幅内にあるとして定義される。ブロック１７３５に続いて、ブロック１７４０に進行する。
【０１２４】
ブロック１７４０において、ＷＢ  ＪＤ割込み信号またはＮＢ  ＪＤ割込み信号の１つ以上を処理して、処理結果を生成し、ブロック１７５０に移る。一例では、処理結果は、ＷＢ  ＪＤ割込み信号またはＮＢ  ＪＤ割込み信号の１つ以上が妨害信号の存在を示すためのビットを含んでいるかどうかのインジケータである。一例では、処理結果は１つのビットである。ブロック１７５０において、処理結果に基づいて複合割込み信号を生成し、ブロック１７６０に進行する。一例では、複合割込み信号は妨害信号が検出されたかどうかのインジケータである。一例では、複合割込み信号は１つのビットである。一例では、妨害信号検出器中の割込みロジック・モジュール（例えば論理（ロジック）回路）が、処理結果に基づいて複合割込み信号を生成する。ブロック１７６０において、複合割込み信号を評価して妨害信号が存在するかを判断する。一側面では、評価ステップは、複合割込み信号のビット値を評価して妨害信号が存在するかを判断する。一例では、ＡＧＣ回路が評価ステップを実行する。一側面では、ブロック１７６０に続いて、ブロック１７７０において、受信器モードが妨害信号の存在に基づいて選択される。
【０１２５】
一側面では、図１７のフローチャートは、ソフトウェア・ベース妨害信号検出器とともに、複数の送信器からのコンカレント動作妨害信号を検出する（ブロック１７８０ａ）ために、およびコンカレント動作妨害信号についての通知を生成する（ブロック１７８０ｂ）ために、利用される（１７８０）。中央ソフトウェア・ベース機構は、コンカレント動作妨害信号を受信器に通知するために、１または複数の受信器へ通知を送信する（ブロック１７８１）。一例では、図１７のフローチャートはマルチコム・ユニットによって適用される。マルチコム・ユニットの一例は図１３Ａに図示されているマルチコム無線携帯電話である。
【０１２６】
当業者は、本開示中で開示されているような妨害信号検出器が、本開示の思想や範囲に影響することなくデュアル・モード受信器を含むあらゆるタイプの受信器デザインとともに使用されることが可能であることを理解するだろう。
【０１２７】
当業者は、本明細書において開示されている例との関連で記述されている様々な例示用の構成要素、論理ブロック、モジュール、回路、および／またはアルゴリズム・ステップが、電子回路ハードウェア、ファームウェア、コンピュータ・ソフトウェア、またはそれらの組合せとして実現され得ることを認識するであろう。このハードウェア、ファームウェア、およびソフトウェアの互換性を明らかにするために、概して、様々な例示用の構成要素、ブロック、モジュール、回路、および／またはアルゴリズム・ステップは、それらの機能の観点から上に記述された。そのような機能がハードウェア、ファームウェア、またはソフトウェアとして実現されるかは、システム全体に課されている具体的な適用形態および設計制約に依存する。当業者は、記述されている機能を個々の具体的な適用形態向けの様々な形で実現し得、そのような実施を決定することは本開示の範囲および思想からの逸脱を引き起こすものと解釈されるべきでない。
【０１２８】
例えば、ハードウェア実施については、プロセッサは、１つ以上の特定用途向け集積回路（ＡＳＩＣ）、ディジタル信号プロセッサ（ＤＳＰ）、ディジタル信号処理デバイス（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、本明細書において記述されている機能を実現するように設計されている電子ユニット、またはこれらの組み合わせで実現され得る。実施は、ソフトウェアを用いて、本明細書において記述されている機能を実行するモジュール（例えば手順、機能など）によるものであり得る。ソフトウェア・コードは、メモリ・ユニットにおいて格納され、プロセッサによって実行され得る。さらに、様々な例示のフローチャート、論理ブロック、モジュールおよび／または本明細書において記述されていたアルゴリズム・ステップは、本技術分野において既知の任意のコンピュータ可読媒体上で運ばれるコンピュータ可読命令として符号化されていてもよい。
【０１２９】
１または複数の例において、本明細書に記述されているステップまたは機能は、ハードウェア、ソフトウェア、ファームウェア、またはそれらのあらゆる組合せにおいて実現され得る。ソフトウェアにおいて実現される場合、関数は１つまたは複数の指示またはコードとして、コンピュータ可読媒体上で格納または送信され得る。コンピュータ可読媒体は、コンピュータ記憶装置媒体、およびコンピュータ・プログラムのある位置から別の位置への移動を容易にするあらゆる媒体を含む通信媒体、の両方を含んでいる。記憶媒体は、コンピュータによってアクセスされることが可能なあらゆる利用可能な物理的媒体であり得る。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶装置、または命令またはデータ構造の形態の所望のプログラム・コードを運ぶか格納するために使用されることが可能で且つコンピュータによってアクセスされることが可能な他のあらゆる媒体を具備し得る。また、あらゆる接続も当然、コンピュータ可読媒体と称される。例えば、ソフトウェアが、同軸ケーブル、光ファイバーケーブル、撚線対、ディジタル加入者線（ＤＳＬ）、または赤外線、無線およびマイクロ波のような無線技術を使用して、ウェブサイト、サーバ、または他の遠隔ソースから送信される場合、この同軸ケーブル、光ファイバーケーブル、撚線対、ＤＳＬ、または赤外線、無線およびマイクロ波のような無線技術は、媒体の定義に含まれている。本明細書において使用されているディスク（ｄｉｓｋ）とディスク（ｄｉｓｃ）は、コンパクト・ディスク（ＣＤ）、レーザーディスク（登録商標）、光ディスク、ディジタル多用途ディスク（ＤＶＤ）、フロッピー（登録商標）・ディスクおよびブルーレイ・ディスクを含んでいる。ここで、ディスク（ｄｉｓｋ）は通常磁気的にデータを再生し、他方、ディスク（ｄｉｓｃ）はレーザーでデータを光学的に再生する。上記のものの組合せもコンピュータ可読媒体の範囲内に含まれるべきである。
【０１３０】
一例では、本明細書において記述されている例示用の構成要素、フローチャート、論理ブロック、モジュール、および／またはアルゴリズム・ステップは、１または複数のプロセッサとともに実施または実行され得る。一側面では、プロセッサは、本明細書において記述されている様々なフローチャート、論理ブロック、および／またはモジュールを実施または実行するためのプロセッサによって実行されるデータ、メタデータ、プログラム命令などを格納するメモリと結合されている。図１８は、妨害信号を検出するのに適する装置１８００ａの例を図示している。一側面では、装置１８００ａは、ブロック１８００、１８０５、１８１０、１８１５、１８２０、１８２５、１８３０、１８３５、１８４０、１８５０、１８６０、１８７０、１８８０ａ、１８８０ｂ、および１８８１において本明細書において記述されているような入力信号環境に基づいてデュアル・モード（例えば高感度モードおよび高線形性モード）間の切り替えのための様々な側面を提供するように構成されている１または複数のモジュールを具備する少なくとも１つのプロセッサによって実施される。一例では、装置１８００ａは図１７に図示されているアルゴリズムを実施するために使用される。例えば、各モジュールは、ハードウェア、ファームウェア、ソフトウェア、またはそのあらゆる組合せを具備する。一側面では、装置１８００ａも、少なくとも１つのプロセッサと通信している少なくとも１つのメモリによって実施される。一側面では、少なくとも１つのメモリは少なくとも１つのプロセッサ内にある。別の側面では、少なくとも１つのメモリは少なくとも１つのプロセッサの外部にある。一側面では、少なくとも１つのプロセッサは、様々なフローチャート、論理ブロック、および／または本明細書において記述されているモジュールの実施または実行のための回路を含んでいる。
【０１３１】
上に開示されている諸側面の記述は、あらゆる当業者が本開示を実行または使用することを可能にするために提供されている。これらの側面に対する様々な修正は当業者にとって容易に明らかになり、また、本明細書において定義されている包括的な原理は、本開示の思想または範囲から逸脱することなく他の側面に適用され得る。
以下に、本願出願時の特許請求の範囲に記載された発明を付記する。
［１］遠方帯域内妨害信号の存在を示すために広帯域（ＷＢ）割込みを生成するための広帯域妨害信号検出器構成要素と、
至近妨害信号の存在を示すために狭帯域（ＮＢ）割込みを生成するための狭帯域妨害信号検出器構成要素と、
前記ＷＢ割込み信号および前記ＮＢ割込み信号の少なくとも１つに基づいて複合割込み信号を生成するための割込み論理モジュールと、
を具備する妨害信号検出器。
［２］前記複合割込み信号が電力消費のために使用される、
［１］の妨害信号検出器。
［３］前記電力消費がアナログ・ベースバンド低域フィルタ（ＡＢＢ  ＬＰＦ）のものである、
［２］の妨害信号検出器。
［４］前記広帯域妨害信号検出器が少なくとも４オクターブの妨害信号スペクトルをカバーする、
［１］の妨害信号検出器。
［５］送信器からのコンカレント動作妨害信号を検出するためのソフトウェア・ベース妨害信号検出器をさらに具備する、
［１］の妨害信号検出器。
［６］前記ソフトウェア・ベース妨害信号検出器が相違するミキサ・タイプを選択する、
［５］の妨害信号検出器。
［７］前記相違するミキサ・タイプがシングルエンド型レジスティブ・ミキサ（ＳＲＭ）および高調波除去ミキサ（ＨＲＭ）を具備する、
［６］の妨害信号検出器。
［８］前記ソフトウェア・ベース妨害信号検出器がマルチコム・ユニットの電力消費を監視するための共存管理ユニットを含んでいる、
［５］の妨害信号検出器。
［９］前記共存管理ユニットが電力消費現在ログを提供する、
［８］の妨害信号検出器。
［１０］前記共存管理ユニットが、受信器の前記動作を、予測される送信を通知することによって、または前記受信器についてのサイレンスを計画することによって、管理する、
［８］の妨害信号検出器。
［１１］前記共存管理ユニットが、ＧＰＳ位置に基づいて、スペクトル、ＲＦレベル、または送信レベルの少なくとも１つをマッピングする、
［８］の妨害信号検出器。
［１２］前記狭帯域妨害信号検出器、前記広帯域妨害信号検出器、および前記ソフトウェア・ベース妨害信号検出器が、オフエア妨害信号およびコンカレント妨害信号に対する妨害信号検出を提供する、
［５］の妨害信号検出器。
［１３］コンカレント動作妨害信号活動の演繹的な通知を受信するための中央ソフトウェア・ベース・モジュールをさらに具備する、
［１］の妨害信号検出器。
［１４］前記中央ソフトウェア・ベース・モジュールが前記演繹的な通知を少なくとも１つの受信器へ中継する、
［１３］の妨害信号検出器。
［１５］少なくとも１つの広帯域閾値（ＴＨＷＢ）および少なくとも１つの狭帯域閾値（ＴＨＮＢ）を格納するためのメモリをさらに具備する、
［１］の妨害信号検出器。
［１６］前記少なくとも１つの広帯域閾値（ＴＨＷＢ）が、求められている電力に基づいて適応的である、
［１５］の妨害信号検出器。
［１７］前記少なくとも１つの狭帯域閾値（ＴＨＮＢ）が、求められている電力に基づいて適応的である、
［１５］の妨害信号検出器。
［１８］前記少なくとも１つの広帯域閾値（ＴＨＷＢ）または前記少なくとも１つの狭帯域閾値（ＴＨＮＢ）が、自動閾値設定ロジックによってロードされる、
［１５］の妨害信号検出器。
［１９］前記自動閾値設定ロジックが無線周波数集積回路（ＲＦＩＣ）の利得状態に基づいている、
［１８］の妨害信号検出器。
［２０］前記少なくとも１つの広帯域閾値（ＴＨＷＢ）の値が前記少なくとも１つの狭帯域閾値（ＴＨＮＢ）の値より大きい、
［１５］の妨害信号検出器。
［２１］前記少なくとも１つの広帯域閾値（ＴＨＷＢ）または前記少なくとも１つの狭帯域閾値（ＴＨＮＢ）が、受信器が最高利得状態Ｇ０中にある時間を最適化するように選択されている、
［１５］の妨害信号検出器。
［２２］前記広帯域妨害信号検出器構成要素が前記遠方帯域内妨害信号の存在を判断するために前記広帯域閾値（ＴＨＷＢ）を使用し、前記狭帯域妨害信号検出器構成要素が前記至近妨害信号の存在を判断するために狭帯域閾値（ＴＨＮＢ）を使用する、
［１５］の妨害信号検出器。
［２３］前記広帯域妨害信号検出器構成要素が、受信器の低ノイズ・アンプ（ＬＮＡ）の出力または前記受信器のＬＮＡ入力で入力信号をサンプリングする、
［１］の妨害信号検出器。
［２４］前記受信器が高線形性モードおよび高感度モードを具備するデュアル・モード受信器である、
［２３］の妨害信号検出器。
［２５］前記受信器を前記高線形性モードまたは前記高感度モードで動作させる選択が、前記複合割込み信号の前記値に基づいている、
［２４］の妨害信号検出器。
［２６］前記狭帯域妨害信号検出器構成要素が前記受信器の前記帯域幅内で動作する、
［２３］の妨害信号検出器。
［２７］遠方帯域内妨害信号の存在を示すために広帯域（ＷＢ）割込み信号を生成するための広帯域妨害信号検出器と、
至近妨害信号の存在を示すために狭帯域（ＮＢ）割込み信号を生成するための狭帯域妨害信号検出器と、
前記ＷＢ割込み信号および前記ＮＢ割込み信号の少なくとも１つに基づいて複合割込み信号を生成するための割込み論理モジュールと、
送信器からのコンカレント動作妨害信号を検出するための手段と、
を具備する、妨害信号を検出するための装置。
［２８］前記複合割込み信号が電力消費のために使用される、
［２７］の装置。
［２９］前記電力消費がアナログ・ベースバンド低域フィルタ（ＡＢＢ  ＬＰＦ）のものである、
［２８］の装置。
［３０］前記広帯域妨害信号検出器が少なくとも４オクターブの妨害信号スペクトルをカバーする、
［２７］の装置。
［３１］前記狭帯域妨害信号検出器、前記広帯域妨害信号検出器、および前記検知するための手段が、オフエア妨害信号およびコンカレント妨害信号に対する妨害信号検出を提供する、
［２７］の装置。
［３２］コンカレント動作妨害信号活動の演繹的な通知を受信するためおよび前記演繹的な通知を受信器へ中継するための手段をさらに具備する、
［２７］の装置。
［３３］複数の適用形態の少なくとも１つのための複数の受信器と、
複数の適用形態の少なくとも１つのための複数の送信器と、
広帯域妨害信号の存在を示すために広帯域（ＷＢ）割込み信号を生成するための広帯域妨害信号検出器と、
狭帯域妨害信号の存在を示すために狭帯域（ＮＢ）割込み信号を生成するための狭帯域妨害信号検出器と、
前記ＷＢ割込み信号および前記ＮＢ割込み信号の少なくとも１つに基づいて複合割込み信号を生成するための割込み論理モジュールと、
前記複数の送信器のうちの１つからのコンカレント動作妨害信号を検出するためのソフトウェア・ベース妨害信号検出器と、
前記コンカレント動作妨害信号の通知を前記複数の受信器の少なくとも１つへ送信するための中央ソフトウェア・ベース機構と、
を具備する妨害信号検出のための無線通信ユニット。
［３４］前記複合割込み信号が電力消費のために使用される、
［３３］の無線通信ユニット。
［３５］前記電力消費はアナログ・ベースバンド低域フィルタ（ＡＢＢ  ＬＰＦ）のものである、
［３４］の無線通信ユニット。
［３６］前記ソフトウェア・ベース妨害信号検出器が相違するミキサ・タイプを選択する、
［３３］の無線通信ユニット。
［３７］前記相違するミキサ・タイプがシングルエンド型レジスティブ・ミキサ（ＳＲＭ）および高調波除去ミキサ（ＨＲＭ）を具備する、
［３６］の無線通信ユニット。
［３８］前記ソフトウェア・ベース妨害信号検出器がマルチコム・ユニットの電力消費を監視するための、共存管理ユニットを含んでいる、
［３３］の無線通信ユニット。
［３９］前記共存管理ユニットが電力消費現在ログを提供する、
［３８］の無線通信ユニット。
［４０］前記共存管理ユニットが、受信器の動作を、予測される送信を通知することによって、または前記受信器についてのサイレンスを計画することによって、管理する、
［３８］の無線通信ユニット。
［４１］前記共存管理ユニットが、ＧＰＳ位置に基づいて、スペクトル、ＲＦレベル、または送信レベルの少なくとも１つをマッピングする、
［３８］の無線通信ユニット。
［４２］前記広帯域妨害信号検出器が少なくとも４オクターブの妨害信号スペクトルをカバーする、
［３３］の無線通信ユニット。
［４３］前記狭帯域妨害信号検出器、前記広帯域妨害信号検出器、および前記ソフトウェア・ベース妨害信号検出器が、オフエア妨害信号およびコンカレント妨害信号に対する妨害信号検出を提供する、
［３３］の無線通信ユニット。
［４４］前記複数の受信器のうちの１つへのコンカレント送信器電力漏れを除去するための少なくとも１つのノッチ・フィルタをさらに具備する、
［３３］の無線通信ユニット。
［４５］前記ソフトウェア・ベース妨害信号検出器がコンカレント送信を検出すると、前記少なくとも１つのノッチ・フィルタが活性化される、
［４４］の無線通信ユニット。
［４６］前記ソフトウェア・ベース妨害信号検出器が所定値を超える干渉波を受信すると、前記少なくとも１つのノッチ・フィルタが活性化される、
［４４］の無線通信ユニット。
［４７］前記広帯域妨害信号検出器または前記狭帯域妨害信号検出器のいずれかがコンカレント送信を検出すると、前記少なくとも１つのノッチ・フィルタが活性化される、
［４４］の無線通信ユニット。
［４８］前記少なくとも１つのノッチ・フィルタが永続的に活性化されている、
［４４］の無線通信ユニット。
［４９］前記複数の適用形態がＢｌｕｅｔｏｏｔｈ（登録商標）、全地球測位システム（ＧＰＳ）、ＦＭ電波、ＷｉＦｉ（ワイヤレス・フィデリティー）、モバイル・テレビ（ディジタル・ビデオ放送（ＤＶＢ））、無線ＵＳＢ（超広帯域（ＵＷＢ））またはＮＦＣ（ニア・フィールド通信；無線周波数識別（ＲＦＩＤ）技術）の少なくとも１つを含んでいる、
［３３］の無線通信ユニット。
［５０］コンピュータ・プログラムを格納するコンピュータ可読媒体であって、前記コンピュータ・プログラムの実行は、
被サンプリング入力信号を生成するために入力信号をサンプリングすることと、
被ダウンコンバート入力信号を生成するために前記入力信号をダウンコンバートすることと、
被サンプリング被ダウンコンバート（ＳＤ）入力信号を生成するために前記被ダウンコンバート入力信号をサンプリングすることと、
前記被サンプリング入力信号を広帯域閾値ＴＨＷＢと比較し、前記ＳＤ入力信号を狭帯域閾値ＴＨＮＢと比較することと、
前記ＴＨＷＢへの比較に基づいて広帯域（ＷＢ）割込み信号を生成し、前記ＴＨＮＢへの比較に基づいて狭帯域（ＮＢ）割込み信号を生成することと、
前記ＷＢ割込み信号または前記ＮＢ割込み信号の１つ以上に基づいて複合割込み信号を生成することと、
のためである、コンピュータ可読媒体。
［５１］前記複合割込み信号が電力消費のために使用される、
［５０］のコンピュータ可読媒体。
［５２］前記電力消費がアナログ・ベースバンド低域フィルタ（ＡＢＢ  ＬＰＦ）のものである、
［５１］のコンピュータ可読媒体。
［５３］前記広帯域閾値ＴＨＷＢが、求められている電力に基づいて適応的である、
［５０］のコンピュータ可読媒体。
［５４］前記狭帯域閾値ＴＨＮＢが、求められている電力に基づいて適応的である、
［５０］のコンピュータ可読媒体。
［５５］前記広帯域閾値（ＴＨＷＢ）または前記狭帯域閾値（ＴＨＮＢ）が自動閾値設定ロジックによってロードされる、
［５０］のコンピュータ可読媒体。
［５６］前記自動閾値設定ロジックが無線周波数集積回路（ＲＦＩＣ）の利得状態に基づいている、
［５５］のコンピュータ可読媒体。
［５７］前記広帯域割込み信号が少なくとも４オクターブの妨害信号スペクトルをカバーする、
［５０］のコンピュータ可読媒体。
［５８］前記広帯域閾値（ＴＨＷＢ）の値が前記狭帯域閾値（ＴＨＮＢ）の値より大きい、
［５０］のコンピュータ可読媒体。
［５９］前記広帯域閾値（ＴＨＷＢ）または前記狭帯域閾値（ＴＨＮＢ）が、受信器が最高利得状態Ｇ０にある時間を最適化するように選択されている、
［５０］のコンピュータ可読媒体。
［６０］前記コンピュータ・プログラムの実行が、妨害信号の存在を判断するために前記複合割込み信号を評価するためでもある、
［５０］のコンピュータ可読媒体。
［６１］被サンプリング入力信号を生成するために入力信号をサンプリングすることと、
被ダウンコンバート入力信号を生成するために前記入力信号をダウンコンバートし、被サンプリング被ダウンコンバート（ＳＤ）入力信号を生成するために前記被ダウンコンバート入力信号をサンプリングすることと、
前記被サンプリング入力信号を広帯域閾値ＴＨＷＢと比較し、前記ＳＤ入力信号を狭帯域閾値ＴＨＮＢと比較することと、
前記ＴＨＷＢへの比較に基づいて広帯域（ＷＢ）割込み信号を生成し、前記ＴＨＮＢへの比較に基づいて狭帯域（ＮＢ）割込み信号を生成することと、
前記ＷＢ割込み信号または前記ＮＢ割込み信号の１つ以上に基づいて複合割込み信号を生成することと、
を具備する妨害信号を検出する方法。
［６２］前記複合割込み信号が電力消費のために使用される、
［６１］の方法。
［６３］前記電力消費がアナログ・ベースバンド低域フィルタ（ＡＢＢ  ＬＰＦ）のものである、
［６２］の方法。
［６４］前記広帯域閾値ＴＨＷＢが、求められている電力に基づいて適応的である、
［６１］の方法。
［６５］前記狭帯域閾値ＴＨＮＢが、求められている電力に基づいて適応的である、
［６１］の方法。
［６６］前記広帯域閾値（ＴＨＷＢ）または前記狭帯域閾値（ＴＨＮＢ）が自動閾値設定ロジックによってロードされる、
［６１］の方法。
［６７］前記自動閾値設定ロジックが無線周波数集積回路（ＲＦＩＣ）の利得状態に基づいている、
［６６］の方法。
［６８］前記広帯域割込み信号が少なくとも４オクターブの妨害信号スペクトルをカバーする、［６１］の方法。
［６９］前記広帯域閾値（ＴＨＷＢ）の値が前記狭帯域閾値（ＴＨＮＢ）の値より大きい、
［６１］の方法。
［７０］前記広帯域閾値（ＴＨＷＢ）または前記狭帯域閾値（ＴＨＮＢ）が、受信器が最高利得状態Ｇ０にある時間を最適化するように選択されている、
［６１］の方法。
［７１］妨害信号の存在を決定するために前記複合割込み信号を評価することをさらに具備する、
［６１］の方法。
［７２］前記入力信号を受信することをさらに具備する、
［７１］の方法。
［７３］前記入力信号が受信器の低ノイズ・アンプ（ＬＮＡ）の出力または前記受信器のＬＮＡ入力でサンプリングされる、
［７２］の方法。
［７４］前記受信器が、２つの受信器モードを具備するデュアル・モード受信器である、
［７３］の方法。
［７５］前記妨害信号の存在に基づいて前記２つの受信器モードの１つを選択することをさらに具備する、
［７４］の方法。
［７６］前記２つの受信器モードが高線形性モードおよび高感度モードを具備する、
［７５］の方法。
［７７］前記ＷＢ割込み信号が第１ビットであり、前記ＮＢ割込み信号が第２ビットである、
［６１］の方法。
［７８］前記複合割込み信号を生成することが前記第１ビットおよび前記第２ビットを処理することを具備する、
［７７］の方法。
［７９］前記狭帯域が、前記入力信号を受信する受信器の帯域幅内にあるとして定義される、
［７２］の方法。
【図１Ａ】
0005559171.tif 000008
【図１Ｂ】
0005559171.tif 000009
【図２】
0005559171.tif 000010
【図３】
0005559171.tif 000011
【図４】
0005559171.tif 000012
【図５】
0005559171.tif 000013
【図６Ａ】
0005559171.tif 000014
【図６Ｂ】
0005559171.tif 000015
【図６Ｃ】
0005559171.tif 000016
【図６Ｄ】
0005559171.tif 000017
【図７Ａ】
0005559171.tif 000018
【図７Ｂ】
0005559171.tif 000019
【図８Ａ】
0005559171.tif 000020
【図８Ｂ】
0005559171.tif 000021
【図９Ａ】
0005559171.tif 000022
【図９Ｂ】
0005559171.tif 000023
【図９Ｃ】
0005559171.tif 000024
【図９Ｄ】
0005559171.tif 000025
【図１０Ａ】
0005559171.tif 000026
【図１０Ｂ】
0005559171.tif 000027
【図１１Ａ】
0005559171.tif 000028
【図１１Ｂ】
0005559171.tif 000029
【図１２】
0005559171.tif 000030
【図１３Ａ】
0005559171.tif 000031
【図１３Ｂ】
0005559171.tif 000032
【図１３Ｃ】
0005559171.tif 000033
【図１４Ａ】
0005559171.tif 000034
【図１４Ｂ】
0005559171.tif 000035
【図１５】
0005559171.tif 000036
【図１６】
0005559171.tif 000037
【図１７】
0005559171.tif 000038
【図１８】
0005559171.tif 000039